(57)【要約】【課題】電圧の状態に応じて、電源からヒーターに電圧を供給する経路のみを切断し、他の部分に電圧を供給する経路は切断しないようにすること。【解決手段】媒体を加熱するためのヒーター２２と、ヒーター２２を制御するメイン制御部１８０と、外部電源から入力される電圧である入力電圧を受けて、その入力電圧を所望の電圧に変換し、所望の電圧をメイン制御部１８０に供給する第１の経路と、第１の経路から分岐し、入力電圧をヒーター２２に供給する第２の経路と、第２の経路に接続され、制御部からの指示に従って、ヒーターのオン又はオフのスイッチングを制御するトライアック１３４と、入力電圧の状態に応じて、第２の経路を切断するヒーター保護部１３８とを備える。【選択図】図２
2020197559.tif 000002
【特許請求の範囲】
【請求項１】
現像剤による画像が形成された媒体を加熱するためのヒーターと、
前記ヒーターを制御する制御部と、
外部電源から入力される電圧である入力電圧を受けて、前記入力電圧を所望の電圧に変換し、前記所望の電圧を前記制御部に供給する第１の経路と、
前記第１の経路から分岐し、前記入力電圧を前記ヒーターに供給する第２の経路と、
前記第２の経路に接続され、前記制御部からの指示に従って、前記ヒーターのオン又はオフのスイッチングを制御する制御素子と、
前記入力電圧の状態に応じて、前記第２の経路を切断する切断部と、を備えること
を特徴とする画像形成装置。
【請求項２】
前記入力電圧の異常を検出する入力異常検出部をさらに備え、
前記切断部は、前記異常が検出された場合に、前記第２の経路を切断すること
を特徴とする請求項１に記載の画像形成装置。
【請求項３】
前記入力電圧の異常を検出する入力異常検出部をさらに備え、
前記切断部は、前記異常が検出され、かつ、前記制御素子が前記ヒーターをオンにできる運転状態である場合に、前記第２の経路を切断すること
を特徴とする請求項１に記載の画像形成装置。
【請求項４】
前記入力電圧の異常を検出する入力異常検出部をさらに備え、
前記異常が検出され、かつ、前記制御素子が前記ヒーターをオンにできない非運転状態である場合には、前記制御部は、前記非運転状態を前記運転状態にせず、前記切断部は、前記第２の経路を切断しないこと
を特徴とする請求項３に記載の画像形成装置。
【請求項５】
前記入力電圧の異常を検出する入力異常検出部をさらに備え、
前記切断部は、前記異常が検出され、かつ、前記制御素子が前記ヒーターをオンにしている場合に、前記第２の経路を切断すること
を特徴とする請求項１に記載の画像形成装置。
【請求項６】
前記異常が検出され、かつ、前記制御素子が前記ヒーターをオフにしている場合には、前記制御部は、前記制御素子に前記ヒーターをオンにさせず、前記切断部は、前記第２の経路を切断しないこと
を特徴とする請求項５に記載の画像形成装置。
【請求項７】
前記ヒーターの温度を検出するヒーター温度検出部と、
前記入力電圧の異常を検出する入力異常検出部と、をさらに備え、
前記切断部は、前記異常が検出され、かつ、前記温度が予め定められた閾値を超えた場合に、前記第２の経路を切断すること
を特徴とする請求項１に記載の画像形成装置。
【請求項８】
前記入力電圧の異常を検出する入力異常検出部と、
前記入力電圧が前記第１の経路に入力されているか否かを検出する電圧検出部と、をさらに備え、
前記切断部は、前記異常が検出され、かつ、前記制御素子が前記ヒーターをオンにし、かつ、前記入力電圧が前記第１の経路に入力されている場合に、前記第２の経路を切断すること
を特徴とする請求項１に記載の画像形成装置。
【請求項９】
前記第２の経路において前記入力電圧の異常を検出する出力異常検出部をさらに備え、
前記切断部は、前記異常が検出された場合に、前記第２の経路を切断すること
を特徴とする請求項１に記載の画像形成装置。
【請求項１０】
前記第１の経路において、前記入力電圧の異常を検出する入力異常検出部と、
前記第２の経路において、前記入力電圧の異常を検出する出力異常検出部と、をさらに備え、
前記切断部は、前記入力異常検出部及び前記出力異常検出部の両方で前記異常が検出された場合に、前記第２の経路を切断すること
を特徴とする請求項１に記載の画像形成装置。
【請求項１１】
前記入力電圧が直流である場合に、前記異常が検出されること
を特徴とする請求項２から１０の何れか一項に記載の画像形成装置。
【請求項１２】
前記入力電圧が予め定められた期間継続して直流である場合に、前記異常が検出されること
を特徴とする請求項２から１０の何れか一項に記載の画像形成装置。
【請求項１３】
前記制御部は、前記入力電圧が異常であるか否かを判定し、
前記切断部は、前記入力電圧が異常であると判定され、かつ、前記制御素子が前記ヒーターをオンにし、かつ、前記入力電圧が異常であると判定される状態が予め定められた期間継続した場合に、前記第２の経路を切断すること
を特徴とする請求項１に記載の画像形成装置。
【請求項１４】
前記入力電圧が直流である場合に、前記入力電圧が異常であると判定されること
を特徴とする請求項１３に記載の画像形成装置。
【請求項１５】
前記入力電圧が予め定められた期間直流である場合に、前記入力電圧が異常であると判定されること
を特徴とする請求項１３に記載の画像形成装置。
【請求項１６】
前記入力電圧の交流ゼロクロス点を検出する交流ゼロクロス検出部をさらに備え、
前記制御部は、前記交流ゼロクロス点が検出されない場合に、前記入力電圧が異常であると判定すること
を特徴とする請求項１４又は１５に記載の画像形成装置。
【請求項１７】
前記制御素子は、トライアックであること
を特徴とする請求項１から１６の何れか一項に記載の画像形成装置。
【請求項１８】
現像剤による画像が形成された媒体を加熱するためのヒーターと、
前記ヒーターを制御する制御部と、
外部電源から入力される電圧である入力電圧を受けて、前記入力電圧を所望の電圧に変換し、前記所望の電圧を前記制御部に供給する第１の経路と、
前記第１の経路から分岐し、前記入力電圧を前記ヒーターに供給する第２の経路と、
前記第２の経路に接続され、前記制御部からの制御に従って、前記ヒーターのオン又はオフのスイッチングを制御する制御素子と、
前記入力電圧が直流である場合に、前記第２の経路を切断する切断部と、を備えること
を特徴とする画像形成装置。
【発明の詳細な説明】
【技術分野】
【０００１】
本発明は、画像形成装置に関する。
【背景技術】
【０００２】
異常な入力電圧が入力機器に入力されることにより、入力機器及び電源が破壊されるのを防止するために、入力機器に保護回路を設けることが従来から行われている。
【０００３】
特許文献１には、装置に入力された電源の種類（交流又は直流）を検出し、その結果に基づいて入力電圧を遮断するかどうかを判断し、直流と判断した場合は、ヒューズを強制的に動作させることにより、入力電圧を遮断する保護回路が記載されている。
【先行技術文献】
【特許文献】
【０００４】
【特許文献１】特許第５１８７００８号公報
【発明の概要】
【発明が解決しようとする課題】
【０００５】
しかしながら、従来の技術では、保護回路が装置の入力部に備えられているため、このような保護回路を、例えば、画像形成装置に設けると、保護回路が直流を検出して保護動作を機能させることにより、画像形成装置への入力電圧がすべて切断されてしまう。画像形成装置への入力電圧が全て切断されてしまうと、画像形成装置に電圧が供給されなくなるため、画像形成装置は、動作しなくなる。
【０００６】
そのため、ユーザーは何が起こって画像形成装置が動作しなくなったのか、何が起こって保護回路が動作したのか知ることができない。また保護回路としてのヒューズは、直流を検出すると必ず切れた状態となるため、保守を行う必要がある。
【０００７】
そこで、本発明は、電圧の状態に応じて、電源からヒーターに電圧を供給する経路のみを切断し、他の部分に電圧を供給する経路は切断しないようにすることを目的とする。
【課題を解決するための手段】
【０００８】
本発明の第１の態様に係る画像形成装置は、現像剤による画像が形成された媒体を加熱するためのヒーターと、前記ヒーターを制御する制御部と、外部電源から入力される電圧である入力電圧を受けて、前記入力電圧を所望の電圧に変換し、前記所望の電圧を前記制御部に供給する第１の経路と、前記第１の経路から分岐し、前記入力電圧を前記ヒーターに供給する第２の経路と、前記第２の経路に接続され、前記制御部からの指示に従って、前記ヒーターのオン又はオフのスイッチングを制御する制御素子と、前記入力電圧の状態に応じて、前記第２の経路を切断する切断部と、を備えることを特徴とする。
【０００９】
本発明の第２の態様に係る画像形成装置は、現像剤による画像が形成された媒体を加熱するためのヒーターと、前記ヒーターを制御する制御部と、外部電源から入力される電圧である入力電圧を受けて、前記入力電圧を所望の電圧に変換し、前記所望の電圧を前記制御部に供給する第１の経路と、前記第１の経路から分岐し、前記入力電圧を前記ヒーターに供給する第２の経路と、前記第２の経路に接続され、前記制御部からの制御に従って、前記ヒーターのオン又はオフのスイッチングを制御する制御素子と、前記入力電圧が直流である場合に、前記第２の経路を切断する切断部と、を備えることを特徴とする。
【発明の効果】
【００１０】
本発明の一又は複数の態様によれば、電圧の状態に応じて、電源からヒーターに電圧を供給する経路を切断し、他の部分に電圧を供給する経路は切断しないようにすることができる。
【図面の簡単な説明】
【００１１】
【図１】実施の形態１〜８に係る画像形成装置の構成を概略的に示す縦断面図である。
【図２】実施の形態１に係る画像形成装置における低圧電源及びメイン制御部の概略構成を示すブロック図である。
【図３】実施の形態１における直流検出部の一例を示す回路図である。
【図４】実施の形態１における保護動作部の一例を示す回路図である。
【図５】実施の形態１におけるヒーター保護部の一例を示す回路図である。
【図６】（Ａ）及び（Ｂ）は、ハードウェア構成例を示すブロック図である。
【図７】実施の形態１における入力電源異常判定部の動作を示すフローチャートである。
【図８】実施の形態２に係る画像形成装置における低圧電源及びメイン制御部の概略構成を示すブロック図である。
【図９】実施の形態２における直流検出部の一例を示す回路図である。
【図１０】実施の形態２における保護動作部の一例を示す回路図である。
【図１１】実施の形態２におけるヒーター動作部の一例を示す回路図である。
【図１２】実施の形態２における入力電源異常判定部の動作を示すフローチャートである。
【図１３】実施の形態３に係る画像形成装置における低圧電源及びメイン制御部の概略構成を示すブロック図である。
【図１４】実施の形態３における保護動作部の一例を示す回路図である。
【図１５】実施の形態４に係る画像形成装置における低圧電源及びメイン制御部の概略構成を示すブロック図である。
【図１６】実施の形態４における電圧検出部の一例を示す回路図である。
【図１７】実施の形態４における保護動作部の一例を示す回路図である。
【図１８】実施の形態５に係る画像形成装置における低圧電源及びメイン制御部の概略構成を示すブロック図である。
【図１９】実施の形態５における直流検出部の一例を示す回路図である。
【図２０】実施の形態５における保護動作部の一例を示す回路図である。
【図２１】実施の形態５における出力直流検出部の一例を示す回路図である。
【図２２】実施の形態５における入力電源異常判定部の動作を示すフローチャートである。
【図２３】実施の形態６に係る画像形成装置における低圧電源及びメイン制御部の概略構成を示すブロック図である。
【図２４】実施の形態６におけるＡＣゼロクロス回路の一例を示す回路図である。
【図２５】実施の形態６における保護動作部の一例を示す回路図である。
【図２６】実施の形態６におけるヒーター保護部の一例を示す回路図である。
【図２７】商用電源の系統を説明するための概略図である。
【図２８】（Ａ）〜（Ｃ）は、ＡＣゼロクロス信号と、電源波形との関係を示すグラフである。
【図２９】実施の形態６における入力電源異常判定部での動作を示すフローチャートである。
【図３０】実施の形態７及び８に係る画像形成装置における低圧電源及びメイン制御部の概略構成を示すブロック図である。
【図３１】実施の形態７における直流検出部の一例を示す回路図である。
【図３２】（Ａ）及び（Ｂ）は、実施の形態７における直流検出部での動作を示すタイムチャートである。
【図３３】実施の形態７における入力電源異常判定部の動作を示すフローチャートである。
【図３４】実施の形態８における直流検出部の一例を示す回路図である。
【図３５】実施の形態８における直流検出部の動作波形を説明するための概略図である。
【発明を実施するための形態】
【００１２】
実施の形態１．
図１は、実施の形態１に係る画像形成装置１００の構成を概略的に示す縦断面図である。
実施の形態１に係る画像形成装置１００は、ブラック、イエロー、マゼンタ及びシアンの４色の現像剤であるトナーを重ね合わせて印刷することで、カラー画像を得るカラー画像形成装置の例であるが、このような態様に限定されず、ブラック一色のモノクロ画像形成装置、又は、他の色を用いたカラー画像形成装置であってもよい。
【００１３】
図示するように、画像形成装置１００は、感光ドラム２Ｋ、２Ｙ、２Ｍ、２Ｃと、帯電器３Ｋ、３Ｙ、３Ｍ、３Ｃと、露光器４Ｋ、４Ｙ、４Ｍ、４Ｃと、現像器５Ｋ、５Ｙ、５Ｍ、５Ｃとを備える。
また、画像形成装置１００は、転写ローラ６Ｋ、６Ｙ、６Ｍ、６Ｃと、転写ベルト８と、ドライブローラ９と、アイドルローラ１０と、定着器１１と、第１搬送ローラ１２と、第２搬送ローラ１３と、排出ローラ１４と、ホッピングローラ１５と、書き出しセンサ１６と、排出センサ１７と、支持プレート部材１８と、スプリング１９と、表示部２０とを備える。
さらに、画像形成装置１００は、低圧電源１１０と、メイン制御部１８０とを備える。なお、以下では、メイン制御部１８０を単に制御部ともいう。また、低圧電源１１０を電源部ともいう。
【００１４】
図１において、大文字「Ｋ」は、ブラック、大文字「Ｙ」は、イエロー、大文字「Ｍ」は、マゼンタ、大文字「Ｃ」は、シアンを意味するものとする。
なお、以下の説明において、これらの色を特に区別する必要がない場合には、これらの大文字を省略して説明する。
【００１５】
感光ドラム２は、転写用の画像を担持する。ここでは、転写用の画像は、現像剤による画像であるトナー像である。
帯電器３は、対応する感光ドラム２をマイナスに帯電させる。
露光器４は、対応する感光ドラム２に静電潜像を書き込む。
現像器５は、対応する感光ドラム２上の静電潜像を現像剤であるマイナスに帯電したトナーにて可視化する。
【００１６】
転写ローラ６は、無端のベルト状に形成された転写ベルト８の内側に配置されており、転写ベルト８を挟んで、対応する感光ドラム２に押し当てられるようにバネ等の弾性部材により付勢されている。
【００１７】
転写ベルト８は、ドライブローラ９と、アイドルローラ１０の外周面により支持されている。そして、転写ベルト８は、これらのドライブローラ９と、アイドルローラ１０との間で引っ張られ、感光ドラム２と転写ベルト８が接する面が平らとなるようにされている。
【００１８】
ドライブローラ９は、図示しない駆動装置に接続されており、軸を中心として回転するようにされている。
アイドルローラ１０は、ドライブローラ９の回転に連動して転写ベルト８が移動すると、この転写ベルト８の移動に連動してドライブローラ９の回転方向と同じ方向に回転する。
【００１９】
定着器１１は、内部に熱源としてのヒーター２２を備えた定着ローラ１１ａと、付勢手段により定着ローラ１１ａに付勢されるバックアップローラ１１ｂとを有し、記録媒体２１に転写されたトナー画像を、熱と圧力により定着する。ヒーター２２は、トナー画像が形成された媒体を加熱するために用いられる。
【００２０】
図１の破線は、記録媒体２１の搬送経路であり、その搬送経路に沿って、第１搬送ローラ１２、第２搬送ローラ１３及び書き出しセンサ１６が、転写ベルト８よりも上流側に配置されており、排出センサ１７及び排出ローラ１４が、定着器１１の下流側に配置されている。
【００２１】
書き出しセンサ１６及び排出センサ１７は、記録媒体２１が搬送経路に沿って搬送されてきた際に、記録媒体２１の予め定められた位置（ここでは、書き出しセンサ１６は先頭位置、排出センサ１７は後端位置）を検知して、検知信号をメイン制御部１８０に与える。
【００２２】
支持プレート部材１８の上面には、記録媒体２１が載せられる。支持プレート部材１８の下方には、支持プレート部材１８を上方に押し上げる付勢部材であるスプリング１９が設けられている。そして、支持プレート部材１８の上面に載せられた記録媒体２１は、スプリング１９の付勢力によりホッピングローラ１５に押し付けられ、ホッピングローラ１５が記録媒体２１をその搬送経路に押し出す方向に回転することで、搬送経路に押し出される。
【００２３】
なお、感光ドラム２、ホッピングローラ１５、第１搬送ローラ１２、第２搬送ローラ１３、ドライブローラ９、定着器１１（定着ローラ１１ａ及びバックアップローラ１１ｂ）、排出ローラ１４は、モータ等により構成される駆動装置（図示せず）に接続されており、この駆動装置は、メイン制御部１８０により制御されている。なお、メイン制御部１８０は、ヒーター２２の制御も行う。
【００２４】
図２は、実施の形態１に係る画像形成装置１００における低圧電源１１０及びメイン制御部１８０の概略構成を示すブロック図である。
図２においては、低圧電源１１０及びメイン制御部１８０の、実施の形態１の特徴に関わる部分を抜粋したものである。
【００２５】
電源コード１０１は、外部電源である商用電源（ＡＣ電源）に接続される。電源コード１０１は、ＡＣインレット１０２に接続され、ＡＣインレット１０２は、低圧電源１１０のＡＣ入力部１１１に接続される。
【００２６】
ＡＣ入力部１１１のＬＩＮＥ側は、ヒューズＡ１１２に接続される。ヒューズＡ１１２は、フィルタＡ１１３と、直流検出部１３０のＩＮ２ピンとに接続される。
ＡＣ入力部１１１のＮＥＵＴＲＡＬ側は、フィルタＡ１１３と、直流検出部１３０のＩＮ１ピンとに接続される。
【００２７】
フィルタＡ１１３は、ヒューズＢ１１４と、ヒーター保護部１３８のＩＮ２ピンとに接続される。
また、フィルタＡ１１３は、整流ブリッジ１１５の入力側と、ヒーター保護部１３８のＩＮ１ピンとに接続される。
ヒューズＢ１１４は、整流ブリッジ１１５の入力側に接続され、
【００２８】
整流ブリッジ１１５の出力側の＋極は、電解コンデンサ１１６の＋極と、抵抗１１７と、トランス１１８の一次側に接続される。
整流ブリッジ１１５の出力側の−極は、電解コンデンサ１１６の−極と、抵抗１１９と、電源制御ＩＣ１２０のＧＮＤピンと、電解コンデンサ１２１の−極と、トランス１１８の第３巻線と、フォトカプラ１２２のエミッタとに接続される。
【００２９】
抵抗１１７は、電源制御ＩＣ１２０のＶＩＮピンに接続される。
ＦＥＴ１２３のドレインは、トランス１１８の一次側に接続され、ＦＥＴ１２３のソースは、抵抗１１９と、電源制御ＩＣ１２０のＩＳピンとに接続され、ＦＥＴ１２３のゲートは、電源制御ＩＣ１２０のＯＵＴピンに接続される。
【００３０】
トランス１１８は、一次側の第１巻線、二次側の第２巻線、一次側の制御に用いられる補助巻線である第３巻線を備える。
トランス１１８の第３巻線側は、ダイオード１２４のアノードと接続され、ダイオード１２４のカソードは、電解コンデンサ１２１の＋極と、電源制御ＩＣ１２０のＶＣＣピンに接続される。
【００３１】
フォトカプラ１２２のコレクタは、電源制御ＩＣ１２０のＦＢピンに接続される。
トランス１１８の二次側は、ダイオード１２５のアノードに接続され、ダイオード１２５のカソードは、電解コンデンサ１２６の＋極と、抵抗１２７と、抵抗１２８と、保護動作部１２９の＋２４Ｖピンと、直流検出部１３０の＋２４Ｖピンと、低圧電源１１０の＋２４Ｖ出力ピンとに接続される。
【００３２】
トランス１１８の二次側は、可変シャントレギュレータ１３１のアノードと、電解コンデンサ１２６の−極と、抵抗１３２と、保護動作部１２９のＧＮＤピンと、直流検出部１３０のＧＮＤピンと、フォトトライアック１３３のカソードに接続される。
【００３３】
フォトカプラ１２２のアノードは、抵抗１２７に接続される。
フォトカプラ１２２のカソードは、可変シャントレギュレータ１３１のカソードに接続される。
可変シャントレギュレータ１３１のリファレンスピンは、抵抗１２８と、抵抗１３２とに接続される。
【００３４】
フォトトライアック１３３は、トライアック１３４のゲートと、抵抗１３５とに接続される。
抵抗１３５は、トライアック１３４と、ヒーター用ＡＣ出力部１３６とに接続される。
【００３５】
トライアック１３４は、抵抗１３７と、ヒーター保護部１３８のＯＵＴ１ピンとに接続される。
また、トライアック１３４は、抵抗１３５と、ヒーター用ＡＣ出力部１３６に接続される。
ここで、トライアック１３４は、メイン制御部１８０からの指示に従って、ヒーター２２のオン又はオフのスイッチングを制御する制御素子である。
【００３６】
フォトトライアック１３３は、抵抗１３７に接続される。
ヒーター保護部１３８のＯＵＴ２ピンは、ヒーター用ＡＣ出力部１３６に接続される。
【００３７】
保護動作部１２９のＰｒｉｎｔピンは、Ｐｒｉｎｔコネクタを介して、メイン制御部１８０の中の印刷コントロール部１８１に接続されるとともに、メイン制御部１８０の入力電源異常判定部１８２に接続される。
【００３８】
印刷コントロール部１８１は、ヒーター２２の状態を、運転状態及び非運転状態の間で切り替える。運転状態は、トライアック１３４がヒーター２２をオン又はオフにスイッチングできる状態であり、非運転状態は、トライアック１３４がヒーター２２をスイッチングできない状態、言い換えると、トライアック１３４がヒーター２２をオンにすることができない状態である。具体的には、Ｐｒｉｎｔコネクタから出力される信号がＨレベルである場合には、運転状態を示し、その信号がＬレベルである場合には、非運転状態を示す。以下では、運転状態は、印刷動作中であることを意味し、非運転状態は、印刷動作中ではないことを意味するものとする。
【００３９】
入力電源異常判定部１８２の出力は、ヒーター温度コントロール部１８３と、表示コントロール部１８４とに入力される。
表示コントロール部１８４は、表示部２０に接続される。
【００４０】
低圧電源１１０の＋２４Ｖ出力ピンは、メイン制御部１８０の＋２４Ｖ入力ピンを介して、電圧変換部１８５に接続される。
低圧電源１１０のＧＮＤ出力ピンは、メイン制御部１８０のＧＮＤ入力ピンを介して、電圧変換部１８５に接続される。
【００４１】
メイン制御部１８０の中にある電圧変換部１８５にて電圧変換された電圧は、メイン制御部１８０の各回路に供給される。実施の形態１では、電圧変換部１８５は、メイン制御部１８０に設けられているが、実施の形態１は、このような例に限定されない。例えば、電圧変換部１８５は、低圧電源１１０に設けられていてもよい。
【００４２】
保護動作部１２９のｄｔｃＩピンは、直流検出部１３０のｄｔｃＯピンに接続されるとともに、メイン制御部１８０のＤＣ  ｄｔｃコネクタを介して、入力電源異常判定部１８２に接続される。
フォトトライアック１３３のアノードは、メイン制御部１８０のＡＣＯＮコネクタを介して、ヒーター温度コントロール部１８３に接続される。
【００４３】
ここで、ヒーター保護部１３８のＩＮ２ピンに接続されている電線は、フィルタＡ１１３と、ヒューズＢ１１４との間の電線に接続され、ヒーター保護部１３８のＩＮ１ピンに接続されている電線は、フィルタＡ１１３と、整流ブリッジ１１５との間の電線に接続されている。これらの接続点は、電線の分岐点ＢＰとなっている。
言い換えると、画像形成装置１００は、ＡＣインレット１０２において、商用電源から電圧が入力されて、ＡＣインレット１０２に入力された電圧である入力電圧が所望の電圧に変換され、その所望の電圧がメイン制御部１８０に供給される第１の経路と、その第１の経路から分岐点ＢＰにおいて分岐し、ヒーター２２に入力電圧が供給される第２の経路とを備える。第２の経路には、ヒーター２２と、トライアック１３４と、ヒーター保護部１３８とが直列に接続されている。
【００４４】
図３は、実施の形態１における直流検出部１３０の一例を示す回路図である。
直流検出部１３０は、抵抗１３０ａと、コンデンサ１３０ｂと、フォトカプラ１３０ｃと、抵抗１３０ｄと、抵抗１３０ｅと、トランジスタ１３０ｆと、電解コンデンサ１３０ｇとを備える。
【００４５】
抵抗１３０ａは、直流検出部１３０のＩＮ１ピンに接続される。
また、抵抗１３０ａは、コンデンサ１３０ｂに接続される。
コンデンサ１３０ｂは、フォトカプラ１３０ｃに接続される。
【００４６】
フォトカプラ１３０ｃは、直流検出部１３０のＩＮ２ピンに接続される。
また、フォトカプラ１３０ｃのコレクタは、抵抗１３０ｅと、直流検出部１３０の＋２４Ｖピンとに接続される。
さらに、フォトカプラ１３０ｃのエミッタピンは、抵抗１３０ｄに接続される。
【００４７】
抵抗１３０ｄは、トランジスタ１３０ｆのベースに接続される。
トランジスタ１３０ｆのエミッタは、直流検出部１３０のＧＮＤピンと、電解コンデンサ１３０ｇの−極とに接続される。
トランジスタ１３０ｆのコレクタは、抵抗１３０ｅと、電解コンデンサ１３０ｇの＋極と、直流検出部１３０のｄｔｃＯピンとに接続される。
【００４８】
ここで、直流検出部１３０は、商用電源から入力される電圧である入力電圧の異常を検出する入力異常検出部として機能する。直流検出部１３０は、入力電圧が直流の場合に、異常を検出する。
【００４９】
図４は、実施の形態１における保護動作部１２９の一例を示す回路図である。
保護動作部１２９は、リレーコイル部１２９ａと、トランジスタ１２９ｂと、トランジスタ１２９ｃと、抵抗１２９ｅと、抵抗１２９ｆと、ダイオード１２９ｇとを備える。
【００５０】
リレーコイル部１２９ａは、ダイオード１２９ｇのカソードと、保護動作部１２９の＋２４Ｖピンとに接続される。
また、リレーコイル部１２９ａは、ダイオード１２９ｇのアノードと、トランジスタ１２９ｂのコレクタとに接続される。
【００５１】
トランジスタ１２９ｂのベースは、抵抗１２９ｆに接続される。
抵抗１２９ｆは、保護動作部１２９のｄｔｃＩピンに接続される。
保護動作部１２９のＰｒｉｎｔピンは、抵抗１２９ｅに接続される。
抵抗１２９ｅは、トランジスタ１２９ｃのベースに接続される。
【００５２】
トランジスタ１２９ｃのコレクタは、トランジスタ１２９ｂのエミッタに接続される。
トランジスタ１２９ｃのエミッタは、保護動作部１２９のＧＮＤピンに接続される。
【００５３】
図５は、実施の形態１におけるヒーター保護部１３８の一例を示す回路図である。
ヒーター保護部１３８は、ヒューズＣ１３８ａと、バリスタ１３８ｂと、リレー接点部１３８ｃとを備える。
【００５４】
ヒューズＣ１３８ａは、バリスタ１３８ｂと、ヒーター保護部１３８のＯＵＴ１ピンとに接続される。
また、ヒューズＣ１３８ａは、ヒーター保護部１３８のＩＮ１ピンに接続される。
ヒューズＣ１３８ａは、ヒーター２２への電圧の供給路を切断するための切断部である。
【００５５】
バリスタ１３８ｂは、リレー接点部１３８ｃに接続される。
リレー接点部１３８ｃは、ヒーター保護部１３８のＯＵＴ２ピン及びＩＮ２ピンに接続される。
【００５６】
ここで、保護動作部１２９のリレーコイル部１２９ａと、ヒーター保護部１３８のリレー接点部１３８ｃとにより、ヒューズＣ１３８ａへの電流の供給をオン又はオフする切替部が構成される。なお、切替部の構成はこのような例に限定されず、例えば、トライアック等で構成されてもよい。
【００５７】
以上に記載されたメイン制御部１８０の印刷コントロール部１８１、入力電源異常判定部１８２、ヒーター温度コントロール部１８３及び表示コントロール部１８４の一部又は全部は、例えば、図６（Ａ）に示されているように、メモリ３０と、メモリ３０に格納されているプログラムを実行するＣＰＵ（Ｃｅｎｔｒａｌ  Ｐｒｏｃｅｓｓｉｎｇ  Ｕｎｉｔ）等のプロセッサ３１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００５８】
また、メイン制御部１８０の一部又は全部は、例えば、図６（Ｂ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）又はＦＰＧＡ（Ｆｉｅｌｄ  Ｐｒｏｇｒａｍｍａｂｌｅ  Ｇａｔｅ  Ａｒｒａｙ）等の処理回路３２で構成することもできる。
【００５９】
次に、実施の形態１における動作を説明する。
印刷時のヒーター２２のオン又はオフの制御は、メイン制御部１８０のヒーター温度コントロール部１８３から出力されるＡＣＯＮ信号にてトライアック１３４を制御することで行われる。
【００６０】
トライアック１３４は、一般的に、交流の場合には、オン又はオフをコントロールすることができるが、直流の場合には、オンは可能であるがオフすることができない。そのため印刷中に供給される電源が直流に切り替わってしまうと、トライアック１３４は、オフすることができずオンが継続することになり、ヒーター２２がオンのままになってしまう。
【００６１】
電源供給側の事故等により商用電源としての供給元（外部電源）より直流が供給された場合における、実施の形態１における動作は次の通りとなる。
供給された直流は、低圧電源１１０のＡＣ入力部１１１、ヒューズＡ１１２、フィルタＡ１１３、ヒューズＢ１１４、整流ブリッジ１１５、電解コンデンサ１１６及び抵抗１１７を通り、電源制御ＩＣ１２０に供給される。
【００６２】
直流が供給されると、電源制御ＩＣ１２０が起動し、電源制御ＩＣ１２０は、ＦＥＴ１２３のスイッチング動作を開始する。その時、トランス１１８の第３巻線側の補助巻き線に電圧が生じる。その電圧をダイオード１２４にて整流用の電解コンデンサ１２１にて平滑した電圧を、電源制御ＩＣ１２０の動作電源として使用する。
【００６３】
ＦＥＴ１２３のスイッチング動作が開始されると、トランス１１８の二次側に電圧が生じる。二次側に生じた電圧は、ダイオード１２５で整流され、電解コンデンサ１２６で平滑され、降圧された直流電圧が得られる。その電圧は、抵抗１２８と、抵抗１３２と、可変シャントレギュレータ１３１と、抵抗１２７と、フォトカプラ１２２とによって、電源制御ＩＣ１２０のＦＢ端子にフィードバックされ、電源制御ＩＣ１２０は、定電圧出力制御を行う。
【００６４】
電源制御ＩＣ１２０は、ＩＳ端子に入力される電流の状況を監視して、過電流の場合、電源制御ＩＣ１２０が動作を停止して、出力を停止する。ここまでの動作は供給される電源が交流の場合でも同様の動作となる。
つまり、供給される電源が交流であっても、直流であっても、トランス１１８から出力される電圧は、降圧された直流電圧となり、その直流電圧をメイン制御部１８０に供給することができる。
【００６５】
ここで、画像形成装置１００が印刷状態（画像形成状態）に移行した場合の動作を説明する。
画像形成装置１００に供給された直流は、低圧電源１１０のＡＣ入力部１１１及びヒューズＡ１１２を通り、直流検出部１３０のＩＮ１ピン又はＩＮ２ピンに入力される。
【００６６】
直流検出部１３０に直流が供給されると、直流検出部１３０のｄｔｃＯピンから出力されるｄｔｃ信号は、Ｈレベルとなる。
具体的には、ＩＮ１ピンに直流が供給されると、図３に示されている抵抗１３０ａに電圧がかかるが、コンデンサ１３０ｂによって直流が遮断され、以降この直流検出部１３０には、電流が流れない。よってフォトカプラ１３０ｃは、動作しない。フォトカプラ１３０ｃが動作しないため、ｄｔｃＯピンからは、＋２４Ｖピンからの入力が出力されて、ｄｔｃ信号は、Ｈレベルとなる。
【００６７】
ｄｔｃＯピンからの出力は、保護動作部１２９のｄｔｃＩピンに入力されているため、図４に示されているように、保護動作部１２９のトランジスタ１２９ｂは、オン状態となる。画像形成装置１００が印刷状態に移行していると、印刷コントロール部１８１のＰｒｉｎｔ信号は、Ｈレベルとなる。印刷コントロール部１８１のＰｒｉｎｔ信号は、保護動作部１２９のＰｒｉｎｔピンに接続されているため保護動作部１２９のトランジスタ１２９ｃもオン状態となる。
【００６８】
保護動作部１２９のトランジスタ１２９ｂ及びトランジスタ１２９ｃの両方がオン状態となるため、リレーコイル部１２９ａに電流が流れる。リレーコイル部１２９ａに電流が流れると、図５に示されているヒーター保護部１３８のリレー接点部１３８ｃがオンになる。この場合、ヒーター保護部１３８のバリスタ１３８ｂがＬＩＮＥ及びＮＥＵＴＲＡＬ間に接続される。バリスタ１３８ｂとして、バリスタ電圧が例えば８０Ｖとなるようなものを使用することで、供給電圧が８０Ｖ以上となると、ＬＩＮＥ及びＮＥＵＴＲＡＬ間が短絡状態となる。短絡電流がヒーター保護部１３８のヒューズＣ１３８ａに流れると、ヒューズＣ１３８ａが断となり、ヒーター２２に電圧を供給することができなくなる。以上により、印刷中にヒーター２２が動作されていても、ヒーター２２を安全に停止させることができる。
【００６９】
次に、画像形成装置１００が印刷状態に移行していない場合の動作を説明する。
画像形成装置１００に供給された直流は、低圧電源１１０のＡＣ入力部１１１及びヒューズＡ１１２を通り、直流検出部１３０のＩＮ１ピン又はＩＮ２ピンに入力される。
【００７０】
直流検出部１３０に直流が供給されると、直流検出部１３０のｄｔｃＯピンからの出力は、Ｈレベルとなる。これは、上述と同様である。
ｄｔｃＯピンからの出力は、保護動作部１２９のｄｔｃＩピンに入力されるため、保護動作部１２９のトランジスタ１２９ｂはオン状態となる。
【００７１】
画像形成装置１００が印刷状態に移行していない場合、印刷コントロール部１８１のＰｒｉｎｔ信号は、Ｌレベルになっている。印刷コントロール部１８１のＰｒｉｎｔ信号は、保護動作部１２９のＰｒｉｎｔピンに入力されているが、Ｌレベルであるため、保護動作部１２９のトランジスタ１２９ｃは、オフ状態となる。
【００７２】
保護動作部１２９のトランジスタ１２９ｂは、オン状態であるが、トランジスタ１２９ｃは、オフ状態であるため、保護動作部１２９のリレーコイル部１２９ａには電流が流れない。このため、ヒーター保護部１３８のリレー接点部１３８ｃは、オフのままであり、ヒーター保護部１３８のバリスタ１３８ｂがＬＩＮＥ及びＮＥＵＴＲＡＬ間に接続されない。よって、ＬＩＮＥ及びＮＥＵＴＲＡＬ間が短絡状態とはならないため、短絡電流がヒーター保護部１３８のヒューズＣ１３８ａに流れず、ヒューズＣ１３８ａが切断されることはない。
【００７３】
図７は、実施の形態１における入力電源異常判定部１８２の動作を示すフローチャートである。
入力電源異常判定部１８２は、直流検出部１３０のｄｔｃＯピンからの出力により、直流検出部１３０が直流を検出したか否かを判断する（Ｓ１０）。直流が検出された場合（Ｓ１０でＹｅｓ）には、処理はステップＳ１１に進む。
【００７４】
ステップＳ１１では、入力電源異常判定部１８２は、印刷コントロール部１８１からの出力により、印刷動作中であるか否かを判断する（Ｓ１１）。印刷動作中である場合（Ｓ１１でＹｅｓ）には、処理はステップＳ１２に進み、印刷動作中ではない場合（Ｓ１１でＮｏ）には、処理はステップＳ１３に進む。
【００７５】
ステップＳ１２では、入力電源異常判定部１８２は、表示コントロール部１８４に指示することで、表示部２０に警告を表示させる。ここでは、例えば、表示部２０は、「電源入力異常、直流を検出しました。ヒーター保護回路が動作しました。サービスマンを呼んでください」とのメッセージを表示する。
【００７６】
一方、ステップＳ１３では、入力電源異常判定部１８２は、ヒーター温度コントロール部１８３に指示することで、ヒーターコントロール信号を強制的にオフにする。これにより、ヒーター温度コントロール部１８３は、出力信号であるＡＣＯＮ信号をＨレベルにすることができなくなる。
【００７７】
そして、入力電源異常判定部１８２は、表示コントロール部１８４に指示することで、表示部２０に警告を表示させる（Ｓ１４）。ここでは、例えば、表示部２０は、「電源入力異常、直流を検出しました」とのメッセージを表示する。
【００７８】
以上のように、画像形成中に画像形成装置１００への電源供給が直流になった場合には、直流検出部１３０からの直流検出信号（ｄｔｃ信号）と、印刷コントロール部１８１からの印刷コントロール信号（Ｐｒｉｎｔ信号）とのＡＮＤ条件によって、ヒーター保護部１３８のヒューズＣ１３８ａが動作され、ヒーター２２への電力の供給を強制的に切断するため、電力の供給側の事故による直流供給によって、ヒーター２２のオフ制御が不可となっても、ヒーター２２を安全に停止させることができる。なお、印刷コントロール信号（Ｐｒｉｎｔ信号）は、ヒーター２２の運転状態と非運転状態とを切り替える信号であるため、運転信号ともいう。
【００７９】
また、画像形成装置１００が待機中に電源供給が直流になった場合には、ｄｔｃ信号と、Ｐｒｉｎｔ信号とを入力電源異常判定部１８２によって判断させ、ヒーター温度コントロール部１８３にヒーター２２をオンさせないようにしたので、直流の供給によってヒーター２２のオフ制御が不可となる前に、ヒーター２２を保護することができる。この場合には、ヒューズＣ１３８ａが切断させずに、ヒーター２２を安全に停止させることができる。
【００８０】
以上に記載された実施の形態１では、入力電圧の異常（直流）が検出され、かつ、ヒーター２２が運転状態（印刷動作中）である場合に、ヒューズＣ１３８ａが切断されるようになっているが、実施の形態１はこのような例に限定されない。
例えば、入力電圧の異常（直流）が検出された場合に、ヒューズＣ１３８ａが切断されるようになっていてもよい。このような場合には、例えば、図４に示されている保護動作部１２９において、Ｐｒｉｎｔピン、抵抗１２９ｅ及びトランジスタ１２９ｃが設けられていなければよい。
【００８１】
実施の形態２．
図１に示されているように、実施の形態２に係る画像形成装置２００は、実施の形態１に係る画像形成装置１００と比較して、低圧電源２１０及びメイン制御部２８０が異なっている。以下、低圧電源２１０及びメイン制御部２８０について主に説明する。
【００８２】
図８は、実施の形態２に係る画像形成装置２００における低圧電源２１０及びメイン制御部２８０の概略構成を示すブロック図である。
図８においては、低圧電源２１０及びメイン制御部２８０の、実施の形態２の特徴に関わる部分を抜粋したものである。
【００８３】
電源コード１０１は、商用電源（ＡＣ電源）に接続される。電源コード１０１は、ＡＣインレット１０２に接続され、ＡＣインレット１０２は、低圧電源２１０のＡＣ入力部１１１に接続される。
【００８４】
ＡＣ入力部１１１のＬＩＮＥ側は、ヒューズＡ１１２に接続される。ヒューズＡ１１２は、フィルタＡ１１３と、直流検出部２３０のＩＮ２ピンとに接続される。
ＡＣ入力部１１１のＮＥＵＴＲＡＬ側は、フィルタＡ１１３と、直流検出部２３０のＩＮ１ピンとに接続される。
【００８５】
フィルタＡ１１３は、ヒューズＢ１１４と、ヒーター保護部１３８のＩＮ２ピンとに接続される。
また、フィルタＡ１１３は、整流ブリッジ１１５の入力側と、ヒーター保護部１３８のＩＮ１ピンとに接続される。
ヒューズＢ１１４は、整流ブリッジ１１５の入力側に接続される。
【００８６】
整流ブリッジ１１５の出力側の＋極は、電解コンデンサ１１６の＋極と、抵抗１１７と、トランス１１８の一次側に接続される。
整流ブリッジ１１５の出力側の−極は、電解コンデンサ１１６の−極と、抵抗１１９と、電源制御ＩＣ１２０のＧＮＤピンと、電解コンデンサ１２１の−極と、トランス１１８の第３巻線側と、フォトカプラ１２２のエミッタとに接続される。
【００８７】
抵抗１１７は、電源制御ＩＣ１２０のＶＩＮピンに接続される。
ＦＥＴ１２３のソースは、トランス１１８の一次側に接続され、ＦＥＴ１２３のドレインは、抵抗１１９と、電源制御ＩＣ１２０のＩＳピンとに接続され、ＦＥＴ１２３のゲートは、電源制御ＩＣ１２０のＯＵＴピンに接続される。
【００８８】
トランス１１８の第３巻線側は、ダイオード１２４のアノードと接続され、ダイオード１２４のカソードは、電解コンデンサ１２１の＋極と、電源制御ＩＣ１２０のＶＣＣピンに接続される。
【００８９】
フォトカプラ１２２のコレクタは、電源制御ＩＣ１２０のＦＢピンに接続される。
トランス１１８の二次側は、ダイオード１２５のアノードに接続され、ダイオード１２５のカソードは、電解コンデンサ１２６の＋極と、抵抗１２７と、抵抗１２８と、保護動作部２２９の＋２４Ｖピンと、電圧変換部２４０のＶＩＮピンと、低圧電源２１０の＋２４Ｖ出力ピンとに接続される。
【００９０】
また、トランス１１８の二次側は、可変シャントレギュレータ１３１のアノードと、電解コンデンサ１２６の−極と、抵抗１３２と、保護動作部２２９のＧＮＤピンと、直流検出部２３０のＧＮＤピンと、ヒーター動作部２４１のＧＮＤピンと、電圧変換部２４０のＧＮＤピンと、低圧電源２１０のＧＮＤ出力ピンとに接続される。
【００９１】
フォトカプラ１２２のアノードは、抵抗１２７に接続される。
フォトカプラ１２２のカソードは、可変シャントレギュレータ１３１のカソードに接続される。
可変シャントレギュレータ１３１のリファレンスピンは、抵抗１２８と、抵抗１３２とに接続される。
【００９２】
ヒーター動作部２４１のＩＮ３ピンは、トライアック１３４のゲートと、抵抗１３５とに接続される。
抵抗１３５は、トライアック１３４と、ヒーター用ＡＣ出力部１３６とに接続される。
トライアック１３４は、抵抗１３７と、ヒーター保護部１３８のＯＵＴ１ピンとに接続される。
ヒーター動作部２４１のＩＮ４ピンは抵抗１３７に接続される。
ヒーター保護部１３８のＯＵＴ２ピンは、ヒーター用ＡＣ出力部１３６に接続される。
【００９３】
電圧変換部２４０の＋５Ｖピンは、保護動作部２２９の＋５Ｖピンと、低圧電源２１０の＋５Ｖ出力ピンとに接続される。
電圧変換部２４０の＋３．３Ｖピンは、直流検出部２３０の＋３．３Ｖピンと、ヒーター動作部２４１の＋３．３Ｖピンと、低圧電源２１０の＋３．３Ｖ出力ピンとに接続される。
【００９４】
直流検出部２３０のｄｔｃＯピンは、保護動作部２２９のｄｔｃＩピンと、ヒーター動作部２４１のｄｔｃＩピンとに接続されるとともに、ＤＣ  ｄｔｃコネクタを介して、メイン制御部２８０にある入力電源異常判定部２８２に接続される。
【００９５】
入力電源異常判定部２８２の出力は、ヒーター温度コントロール部２８３と、表示コントロール部１８４とに入力される。
表示コントロール部１８４は、表示部２０に接続される。
【００９６】
ヒーター温度検出部２８６の温度検出信号は、ヒーター温度コントロール部２８３に与えられ、ヒーター温度コントロール部２８３のヒーターコントロール信号は、ＡＣＯＮコネクタを介して、ヒーター動作部２４１のＡＣＯＮピンと、保護動作部２２９のＡＣＯＮピンとに入力される。
メイン制御部２８０の中にある各電圧（＋２４Ｖ、＋５Ｖ、＋３．３Ｖ、ＧＮＤ）は、メイン制御部２８０の各回路に供給される。
【００９７】
なお、ヒーター温度検出部２８６は、メイン制御部２８０内に設けられているが、メイン制御部２８０の外に設けられていてもよい。
【００９８】
ここで、ヒーター保護部１３８のＩＮ２ピンに接続されている電線は、フィルタＡ１１３と、ヒューズＢ１１４との間の電線に接続され、ヒーター保護部１３８のＩＮ１ピンに接続されている電線は、フィルタＡ１１３と、整流ブリッジ１１５との間の電線に接続されている。
言い換えると、画像形成装置２００は、ＡＣインレット１０２において、商用電源から電圧が入力されて、ＡＣインレット１０２に入力された電圧である入力電圧が所望の電圧に変換され、その所望の電圧がメイン制御部２８０に供給される入力される第１の経路と、その第１の経路から分岐点ＢＰにおいて分岐し、ヒーター２２に入力電圧が供給される第２の経路とを備える。第２の経路には、ヒーター２２と、トライアック１３４と、ヒーター保護部１３８とが直列に接続されている。
【００９９】
図９は、実施の形態２における直流検出部２３０の一例を示す回路図である。
直流検出部２３０は、抵抗２３０ａと、コンデンサ２３０ｂと、フォトカプラ２３０ｃと、抵抗２３０ｅと、コンデンサ２３０ｄとを備える。
【０１００】
抵抗２３０ａは、直流検出部２３０のＩＮ１ピンに接続される。
また、抵抗２３０ａは、コンデンサ２３０ｂに接続される。
コンデンサ２３０ｂは、フォトカプラ２３０ｃに接続される。
【０１０１】
フォトカプラ２３０ｃは、直流検出部２３０のＩＮ２ピンに接続される。
また、フォトカプラ２３０ｃのコレクタは、抵抗２３０ｅと、コンデンサ２３０ｄと、直流検出部２３０のｄｔｃＯピンとに接続される。
さらに、フォトカプラ２３０ｃのエミッタピンは、コンデンサ２３０ｄと、直流検出部２３０のＧＮＤピンとに接続される。
【０１０２】
直流検出部２３０は、商用電源から入力される電圧である入力電圧の異常を検出する入力異常検出部として機能する。ここでは、直流検出部２３０は、入力電圧が直流である場合に、異常を検出する。
【０１０３】
図１０は、実施の形態２における保護動作部２２９の一例を示す回路図である。
保護動作部２２９は、リレーコイル部２２９ａと、トランジスタ２２９ｂと、抵抗２２９ｃと、抵抗２２９ｄと、ダイオード２２９ｅと、ＡＮＤ回路２２９ｆとを備える。
【０１０４】
リレーコイル部２２９ａは、ダイオード２２９ｅのカソードと、保護動作部２２９の＋２４Ｖピンとに接続される。
また、リレーコイル部２２９ａは、ダイオード２２９ｅのアノードと、トランジスタ２２９ｂのコレクタとに接続される。
【０１０５】
トランジスタ２２９ｂのベースは、抵抗２２９ｄと、抵抗２２９ｃとに接続される。
トランジスタ２２９ｂのエミッタは、抵抗２２９ｃと、ＡＮＤ回路２２９ｆのＧＮＤピンと、保護動作部２２９のＧＮＤピンとに接続される。
【０１０６】
抵抗２２９ｄは、ＡＮＤ回路２２９ｆの出力ピンに接続される。
ＡＮＤ回路２２９ｆの入力ピンは、保護動作部２２９のｄｔｃＩピンと、保護動作部２２９のＡＣＯＮピンとに接続される。
【０１０７】
図１１は、実施の形態２におけるヒーター動作部２４１の一例を示す回路図である。
ヒーター動作部２４１は、フォトトライアックカプラ２４１ａと、抵抗２４１ｂと、トランジスタ２４１ｃと、抵抗２４１ｄと、抵抗２４１ｅと、抵抗２４１ｆと、トランジスタ２４１ｇと、抵抗２４１ｈとを備える。
【０１０８】
フォトトライアックカプラ２４１ａは、ヒーター動作部２４１のＩＮ３ピンに接続される。
また、フォトトライアックカプラ２４１ａは、ヒーター動作部２４１のＩＮ４ピンに接続される。
抵抗２４１ｂは、ヒーター動作部２４１の＋３．３Ｖピンに接続される。
また、抵抗２４１ｂは、フォトトライアックカプラ２４１ａのアノードと、抵抗２４１ｆと、トランジスタ２４１ｇのコレクタとに接続される。
【０１０９】
フォトトライアックカプラ２４１ａのカソードは、抵抗２４１ｆと、トランジスタ２４１ｃのコレクタとに接続される。
トランジスタ２４１ｃのエミッタは、抵抗２４１ｄと、トランジスタ２４１ｇのエミッタと、抵抗２４１ｈと、ヒーター動作部２４１のＧＮＤピンとに接続される。
トランジスタ２４１ｃのベースは、抵抗２４１ｄと、抵抗２４１ｅとに接続される。
【０１１０】
抵抗２４１ｅは、ヒーター動作部２４１のＡＣＯＮピンに接続される。
トランジスタ２４１ｇのベースは、抵抗２４１ｈと、ヒーター動作部２４１のｄｔｃＩピンとに接続される。
【０１１１】
以上に記載されたメイン制御部２８０の入力電源異常判定部２８２、ヒーター温度コントロール部２８３及び表示コントロール部１８４の一部又は全部は、例えば、図６（Ａ）に示されているように、メモリ３０と、メモリ３０に格納されているプログラムを実行するＣＰＵ等のプロセッサ３１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【０１１２】
また、メイン制御部２８０の入力電源異常判定部２８２、ヒーター温度コントロール部２８３及び表示コントロール部１８４の一部又は全部は、例えば、図６（Ｂ）に示されているように、単一回路、複合回路、プログラム化したプロセッサ、並列プログラム化したプロセッサ、ＡＳＩＣ又はＦＰＧＡ等の処理回路３２で構成することもできる。
なお、ヒーター温度検出部２８６は、ヒーター２２の温度を検出するセンサにより実現することができる。
【０１１３】
次に、実施の形態２の動作について説明する。
印刷時のヒーター２２のオン又はオフの制御は、メイン制御部２８０のヒーター温度検出部２８６の検出温度に基づいて、ヒーター温度コントロール部２８３から出力されるＡＣＯＮ信号にてヒーター動作部２４１を介して、トライアック１３４をオン又はオフすることで行われる。
【０１１４】
実施の形態１に記載したように、電源供給側から交流が供給されても、例えば、電源供給側の事故等により、商用電源としての供給元より直流が供給されても、メイン制御部２８０は、降圧された直流電圧を得ることができるため、処理を行うことができる。
【０１１５】
ここで、まず、画像形成装置２００がヒーター２２を点灯状態にしている場合に、電源供給側から直流が供給されたときの動作を説明する。ここで、点灯状態は、ヒーター温度コントロール部２８３の指示（ＡＣＯＮ信号）により、トライアック１３４がヒーター２２をオンにしている場合である。
【０１１６】
供給された直流は、低圧電源２１０のＡＣ入力部１１１及びヒューズＡ１１２を通り、直流検出部２３０のＩＮ１ピン又はＩＮ２ピンに入力される。
【０１１７】
直流検出部２３０に直流が供給されると、直流検出部２３０のｄｔｃＯピンからの出力は、Ｈレベルとなる。
具体的には、図９に示されているように、ＩＮ１ピンに直流が入力されると、抵抗２３０ａに電圧がかかるが、コンデンサ２３０ｂによって直流が遮断され、直流検出部２３０には電流が流れない。このため、フォトカプラ２３０ｃは、動作しない。
【０１１８】
フォトカプラ２３０ｃが動作しないと、ｄｔｃＯピンからは、＋３．３Ｖピンからの入力が出力されて、Ｈレベルとなる。
ｄｔｃＯピンの出力は、保護動作部２２９のｄｔｃＩピンに接続されているため、保護動作部２２９のｄｔｃＩピンには、Ｈレベルが入力される。
【０１１９】
ヒーター温度検出部２８６の検出温度が目標温度以下の場合、ヒーター温度コントロール部２８３は所定時間以上、ＡＣＯＮ信号によりＨレベルを出力する。
ヒーター温度コントロール部２８３のＡＣＯＮ信号は、保護動作部２２９のＡＣＯＮピンに入力されるため、保護動作部２２９のＡＣＯＮピンには、Ｈレベルが入力される。
【０１２０】
図１０に示されているＡＮＤ回路２２９ｆの入力信号が何れもＨレベルのため、ＡＮＤ回路２２９ｆは、Ｈレベルを出力する。このため、抵抗２２９ｄを介して、トランジスタ２２９ｂにベース電流が流れ、保護動作部２２９のリレーコイル部２２９ａに電流が流れる。
リレーコイル部２２９ａに電流が流れると、図５に示されているヒーター保護部１３８のリレー接点部１３８ｃがオンになる。この場合、ヒーター保護部１３８のバリスタ１３８ｂがＬＩＮＥ及びＮＥＵＴＲＡＬ間に接続される。バリスタ１３８ｂとして、バリスタ電圧が例えば８０Ｖとなるようなものを使用することで、供給電圧が８０Ｖ以上となると、ＬＩＮＥ及びＮＥＵＴＲＡＬ間が短絡状態となる。短絡電流がヒーター保護部１３８のヒューズＣ１３８ａに流れると、ヒューズＣ１３８ａが断となり、ヒーター２２に電圧を供給することができなくなる。以上により、ヒーター２２が点灯状態であっても、ヒーター２２を安全に停止させることができる。
【０１２１】
以上のように、保護動作部２２９により、直流検出部２３０が直流を検出し、トライアック１３４がヒーター２２をオンにしている場合に、ヒューズＣ１３８ａが切断されるようになる。また、直流検出部２３０が直流を検出していても、トライアック１３４がヒーター２２をオンにしていない場合には、ヒューズＣ１３８ａは切断されない。
【０１２２】
次に、画像形成装置２００がヒーター２２を消灯状態である場合に、電源供給側から直流が供給されたときの動作を説明する。ここで、消灯状態は、ヒーター温度コントロール部２８３の指示（ＡＣＯＮ信号）により、トライアック１３４がヒーター２２をオフにしている場合である。
【０１２３】
供給された直流は、低圧電源２１０のＡＣ入力部１１１及びヒューズＡ１１２を通り、直流検出部２３０のＩＮ１ピン又はＩＮ２ピンに入力される。
【０１２４】
直流検出部２３０に直流が供給されると、上述のように、直流検出部２３０のｄｔｃＯピンからはＨレベルが出力される。直流検出部２３０のｄｔｃＯピンは、図１１に示されているヒーター動作部２４１のｄｔｃＩピンに接続されているため、ヒーター動作部２４１のｄｔｃＩピンに、Ｈレベルが入力される。
【０１２５】
このため、ヒーター動作部２４１のトランジスタ２４１ｇのベースに電流が流れ、ヒーター動作部２４１の＋３．３Ｖピンから抵抗２４１ｂを介してトランジスタ２４１ｇにコレクタ電流が流れる。その結果、フォトトライアックカプラ２４１ａの電圧源が遮断される。このため、フォトトライアックカプラ２４１ａの発光ダイオードは点灯できず、フォトトライアックカプラ２４１ａのトライアックは開放状態となる。これにより、ヒーター２２を制御するためのトライアック１３４も開放状態となり、ヒーター２２に電流が流れない。
【０１２６】
また、直流検出部２３０のｄｔｃＯピンは、図１０に示されている保護動作部２２９のｄｔｃＩピンに接続されている。画像形成装置２００においてヒーター２２が消灯状態の場合、ヒーター温度コントロール部２８３は、ＡＣＯＮ信号としてＬレベルを出力する。
【０１２７】
ヒーター温度コントロール部２８３のＡＣＯＮ信号は、保護動作部２２９のＡＣＯＮピンに入力されており、保護動作部２２９のＡＮＤ回路２２９ｆは、Ｌレベル出力する。このため、トランジスタ２２９ｂにベース電流が流れず、保護動作部２２９のリレーコイル部２２９ａに電流が流れない。
【０１２８】
リレーコイル部２２９ａに電流が流れないため、図５に示されているヒーター保護部１３８のリレー接点部１３８ｃは、オフのままであり、ヒーター保護部１３８のバリスタ１３８ｂがＬＩＮＥ及びＮＥＵＴＲＡＬ間に接続されない。ＬＩＮＥ及びＮＥＵＴＲＡＬ間が短絡状態とならないため、短絡電流がヒューズＣ１３８ａに流れず、ヒューズＣ１３８ａが切断されることはない。
【０１２９】
図１２は、実施の形態２における入力電源異常判定部２８２の動作を示すフローチャートである。
入力電源異常判定部２８２は、直流検出部２３０のｄｔｃＯピンからの出力により、直流検出部２３０が直流を検出したか否かを判断する（Ｓ２０）。直流が検出された場合（Ｓ２０でＹｅｓ）には、処理はステップＳ２１に進む。
【０１３０】
ステップＳ２１では、入力電源異常判定部２８２は、ヒーター温度コントロール部２８３がヒーター２２を点灯中であるか否かを判断する。例えば、入力電源異常判定部２８２は、ヒーター温度コントロール部２８３からの通知により、この判断を行えばよい。ヒーター２２が点灯中である場合（Ｓ２１でＹｅｓ）には、処理はステップＳ２２に進み、ヒーター２２が点灯中ではない場合（Ｓ２１でＮｏ）には、処理はステップＳ２３に進む。
【０１３１】
ステップＳ２２では、入力電源異常判定部２８２は、表示コントロール部１８４に指示することで、表示部２０に警告を表示させる。ここでは、例えば、表示部２０は、「電源入力異常、直流を検出しました。ヒーター保護回路が動作しました。サービスマンを呼んでください」とのメッセージを表示する。
【０１３２】
一方、ステップＳ２３では、入力電源異常判定部２８２は、ヒーター温度コントロール部２８３に指示することで、ヒーターコントロール信号（ＡＣＯＮ信号）を強制的にオフにする。これにより、ヒーター温度コントロール部１８３は、出力するＡＣＯＮ信号として、Ｈレベルを出力することができなくなる。
【０１３３】
そして、入力電源異常判定部２８２は、表示コントロール部１８４に指示することで、表示部２０に警告を表示させる（Ｓ１４）。ここでは、例えば、表示部２０は、「電源入力異常、直流を検出しました」とのメッセージを表示する。
【０１３４】
なお、実施の形態２では、直流検出部２３０、保護動作部２２９及びヒーター動作部２４１はハードウェアで構成されており、入力電源異常判定部２８２等のファームウェアが誤動作した場合を考慮して構成されている。
【０１３５】
例えば、ヒーター２２の点灯中で、かつ、低圧電源２１０に交流が入力されているのにも関わらず、入力電源異常判定部２８２が誤って直流が入力されていると判断した場合、ファームウェアで処理すると、誤って保護動作部２２９を動作させ、ヒーター保護部１３８のヒューズＣ１３８ａを切断してしまう。
【０１３６】
実施の形態２では、このような場合でも、直流検出部２３０の出力は、ＨレベルではなくＬレベルになるため、保護動作部２２９のＡＮＤ回路２２９ｆはＬレベル出力し、ヒューズＣ１３８ａが切断されることはない。
【０１３７】
また、ヒーター２２が点灯中で、かつ、低圧電源２１０に直流が入力されているのにも関わらず、入力電源異常判定部２８２が誤って交流が入力されていると判断した場合、ファームウェアで処理すると、保護動作部２２９を動作させることができず、トライアック１３４がオンし続け、ヒーター２２を点灯し続けてしまい、安全性が損なわれてしまう。
【０１３８】
実施の形態２では、このような場合でも、直流検出部２３０の出力は、ＬレベルではなくＨレベルになるため、ヒーター動作部２４１の電圧源を遮断し、さらに、保護動作部２２９のＡＮＤ回路２２９ｆはＨレベルを出力するため、ヒューズＣ１３８ａを切断し、ヒーター２２を保護することができる。
【０１３９】
以上のように、実施の形態２によれば、ヒーター２２の点灯中に直流が供給されることにより、トライアック１３４がヒーター２２のオフ制御を行うことができなくなった場合でも、ヒーター２２を安全停止させることができる。
【０１４０】
また、ヒーター２２の消灯中に直流が供給された場合には、トライアック１３４がヒーター２２のオフ制御を行うことができなくなる前に、ヒーター２２を保護することができ、ヒューズＣ１３８ａが切断されることなく、ヒーター２２を安全に停止することができる。
【０１４１】
実施の形態３．
図１に示されているように、実施の形態３に係る画像形成装置３００は、実施の形態２に係る画像形成装置２００と比較して、低圧電源３１０及びメイン制御部３８０が異なっている。以下、低圧電源３１０及びメイン制御部３８０について主に説明する。
【０１４２】
図１３は、実施の形態３に係る画像形成装置３００における低圧電源３１０及びメイン制御部３８０の概略構成を示すブロック図である。
図１３においては、低圧電源３１０及びメイン制御部３８０の、実施の形態３の特徴に関わる部分を抜粋したものである。
なお、実施の形態３は、メイン制御部３８０に温度異常検出部３８７が追加されている点、及び、低圧電源３１０の保護動作部３２９での動作の点において、実施の形態２と異なっている。以下、実施の形態２と異なっている点に関連する部分を主に説明する。
【０１４３】
実施の形態３におけるメイン制御部３８０には、温度異常検出部３８７が設けられている。
温度異常検出部３８７は、ヒーター温度検出部２８６の検出温度により、ヒーター２２の温度が、目標温度を超えて、異常に高くなった場合を検出する。例えば、温度異常検出部３８７は、その検出温度が予め定められた閾値を超えた場合に、温度異常を検出する。温度異常検出部３８７は、異常温度を検出した場合には、その旨をヒーター温度コントロール部３８３に通知するとともに、メイン制御部３８０のＡｌａｒｍコネクタから出力する温度異常信号であるＡｌａｒｍ信号を、Ｈレベルにする。
【０１４４】
実施の形態２における低圧電源２１０の保護動作部２２９は、ヒーター温度コントロール部２８３から出力されるＡＣＯＮ信号を入力していたが、実施の形態３における低圧電源３１０の保護動作部３２９は、温度異常検出部３８７から出力されるＡｌａｒｍ信号を入力している。
具体的には、保護動作部３２９のＡｌａｒｍピンは、メイン制御部３８０のＡｌａｒｍピンに接続されている。
【０１４５】
図１４は、実施の形態３における保護動作部３２９の一例を示す回路図である。
保護動作部３２９は、リレーコイル部３２９ａと、トランジスタ３２９ｂと、抵抗３２９ｃと、抵抗３２９ｄと、ダイオード３２９ｅと、ＡＮＤ回路３２９ｆとを備える。
【０１４６】
リレーコイル部３２９ａは、ダイオード３２９ｅのカソードと、保護動作部３２９の＋２４Ｖピンとに接続される。
また、リレーコイル部３２９ａは、ダイオード３２９ｅのアノードと、トランジスタ３２９ｂのコレクタとに接続される。
【０１４７】
トランジスタ３２９ｂのベースは、抵抗３２９ｄと、抵抗３２９ｃとに接続される。
トランジスタ３２９ｂのエミッタは、抵抗３２９ｃと、ＡＮＤ回路３２９ｆのＧＮＤピンと、保護動作部３２９のＧＮＤピンとに接続される。
【０１４８】
抵抗３２９ｄは、ＡＮＤ回路３２９ｆの出力ピンに接続される。
ＡＮＤ回路３２９ｆの入力ピンは、保護動作部３２９のｄｔｃＩピンと、メイン制御部３８０のＡｌａｒｍピンとに接続される。
【０１４９】
次に、実施の形態３の動作について説明する。
実施の形態２では、ヒーター２２の点灯中に、一時的でも直流電圧が印加された場合には、ヒーター保護部１３８のヒューズＣ１３８ａが切断される。
これに対して、実施の形態３は、直流検出部２３０に一時的に直流電圧が印加され、その後交流電圧に復帰する場合を考慮している。
【０１５０】
ヒーター温度検出部２８６の検出温度が目標温度以下の場合、ヒーター温度コントロール部３８３は、ＡＣＯＮ信号としてＨレベルを出力し、ヒーター動作部２４１を動作させてトライアック１３４をオンにし、ヒーター２２を点灯させる。
【０１５１】
直流検出部２３０が直流電圧を検出した場合、直流検出部２３０は、ｄｔｃＯピンからの出力をＨレベルにする。ヒーター動作部２４１は、ｄｔｃＩピンにＨレベルが入力されると、ヒーター動作部２４１の電圧源を遮断する。
【０１５２】
入力電源異常判定部２８２も、直流検出部２３０からのｄｔｃ信号により、直流電圧が印加されたと判定し、ヒーター温度コントロール部３８３に対してヒーター２２を消灯するように通知する。その通知に従って、ヒーター温度コントロール部３８３は、ＡＣＯＮ信号をＬレベルにする。
【０１５３】
トライアック１３４は、ヒーター動作部２４１の電圧源が遮断され、かつ、ＡＣＯＮ信号がＬレベルにされているにもかかわらず、直流が入力されている場合には、オフすることができずオンし続ける。このため、ヒーター２２を消灯することができず、ヒーター温度検出部２８６の検出温度は上昇し続ける。
【０１５４】
ヒーター温度検出部２８６で検出されるヒーター２２の温度が、温度異常検出部３８７の設定温度である閾値を超えると、温度異常検出部３８７は、Ａｌａｒｍ信号をＨレベルにする。
【０１５５】
保護動作部３２９に入力されるＡｌａｒｍ信号と、ｄｔｃ信号とが共にＨレベルになるため、図１４に示されている保護動作部３２９のＡＮＤ回路３２９ｆは、Ｈレベルを出力する。これにより、抵抗３２９ｄを介して、トランジスタ３２９ｂにベース電流が流れ、保護動作部３２９のリレーコイル部３２９ａに電流が流れる。
【０１５６】
リレーコイル部３２９ａに電流が流れると、図５に示されているヒーター保護部１３８のリレー接点部１３８ｃがオンになる。この場合、ヒーター保護部１３８のバリスタ１３８ｂがＬＩＮＥ及びＮＥＵＴＲＡＬ間に接続される。バリスタ１３８ｂとして、バリスタ電圧が例えば８０Ｖとなるようなものを使用することで、供給電圧が８０Ｖ以上となると、ＬＩＮＥ及びＮＥＵＴＲＡＬ間が短絡状態となる。短絡電流がヒーター保護部１３８のヒューズＣ１３８ａに流れると、ヒューズＣ１３８ａが切断され、ヒーター２２に電圧を供給することができなくなる。以上により、ヒーター２２が点灯状態であっても、ヒーター２２を安全に停止させることができる。
【０１５７】
保護動作部３２９により、直流検出部２３０により直流が検出され、ヒーター２２の温度が予め定められた閾値を超えた場合に、ヒューズＣ１３８ａが切断される。
【０１５８】
また、ヒーター温度検出部２８６の検出温度が目標温度以下の場合、ヒーター温度コントロール部３８３は、ＡＣＯＮ信号をＨレベル出力し、ヒーター動作部２４１を動作させてトライアック１３４をオンにし、ヒーター２２を点灯させる。
【０１５９】
直流検出部２３０が直流電圧を検出した場合、直流検出部２３０は、ｄｔｃＯピンからの出力をＨレベルにする。ヒーター動作部２４１は、ｄｔｃＩピンにＨレベルが入力されると、ヒーター動作部２４１の電圧源を遮断する。
【０１６０】
入力電源異常判定部２８２も、直流検出部２３０からのｄｔｃ信号により、直流電圧が印加されたと判定し、ヒーター温度コントロール部３８３に対してヒーター２２を消灯するように通知する。その通知に従って、ヒーター温度コントロール部３８３は、ＡＣＯＮ信号をＬレベルにする。
【０１６１】
トライアック１３４は、ヒーター動作部２４１の電圧源が遮断され、かつ、ＡＣＯＮ信号がＬレベルにされているにもかかわらず、直流が入力されている場合には、オフすることができずオンし続ける。このため、ヒーター２２を消灯することができず、ヒーター温度検出部２８６の検出温度は上昇し続ける。
【０１６２】
この時、直流検出部２３０が交流電圧を検出した場合、ｄｔｃＯピンからの出力をＬレベルにする。トライアック１３４は、直流から交流に変化したため、オフすることが可能となり、その結果、ヒーター２２も消灯できる。
【０１６３】
ここで、ヒーター温度検出部２８６で検出されるヒーター２２の温度が、温度異常検出部３８７の設定温度である閾値を下回っている場合には、温度異常検出部３８７は、Ａｌａｒｍ信号をＬレベルにする。
【０１６４】
保護動作部３２９に入力されるＡｌａｒｍ信号と、ｄｔｃ信号とが共にＬレベルになるため、図１４に示されている保護動作部３２９のＡＮＤ回路３２９ｆは、Ｌレベルを出力する。この場合、トランジスタ３２９ｂにベース電流が流れない。このため、保護動作部３２９のリレーコイル部３２９ａに電流が流れない。
【０１６５】
リレーコイル部３２９ａに電流が流れないため、図５に示されているヒーター保護部１３８のリレー接点部１３８ｃは、オフのままであり、ヒーター保護部１３８のバリスタ１３８ｂがＬＩＮＥ及びＮＥＵＴＲＡＬ間に接続されない。ＬＩＮＥ及びＮＥＵＴＲＡＬ間が短絡状態とならないため、短絡電流がヒューズＣ１３８ａに流れず、ヒューズＣ１３８ａが切断されることはない。
【０１６６】
以上のように、実施の形態３によれば、ヒーター２２の点灯中に低圧電源３１０に直流電圧が印加されても、ヒーター２２の温度が異常温度になるまでヒューズＣ１３８ａが切断されないようにしたため、一時的に直流電圧が印加されてすぐに交流電圧に復帰したような場合には、ヒューズＣ１３８ａを切断することなく、画像形成装置３００を使用し続けることができる。
【０１６７】
実施の形態４．
図１に示されているように、実施の形態４に係る画像形成装置４００は、実施の形態２に係る画像形成装置２００と比較して、低圧電源４１０及びメイン制御部４８０が異なっている。以下、低圧電源４１０及びメイン制御部４８０について主に説明する。
【０１６８】
図１５は、実施の形態４に係る画像形成装置４００における低圧電源４１０及びメイン制御部４８０の概略構成を示すブロック図である。
図１５においては、低圧電源４１０及びメイン制御部４８０の、実施の形態４の特徴に関わる部分を抜粋したものである。なお、実施の形態４は、低圧電源４１０に電圧検出部４４２が追加されている点、及び、低圧電源４１０の保護動作部４２９での動作の点において、実施の形態２と異なっている。以下、実施の形態２と異なっている点に関連する部分を主に説明する。
【０１６９】
実施の形態４における低圧電源４１０には、電圧検出部４４２が設けられている。
電圧検出部４４２は、直流検出部２３０の検出結果が商用電源の瞬断によるものか、直流電圧が印加されたものかを判別するために、低圧電源４１０に電圧が入力されているか否かを検出する。電圧検出部４４２での検出結果を示す電圧検出信号であるＶｏｕｔ信号は、保護動作部４２９に与えられる。
【０１７０】
電圧検出部４４２のＩＮ５ピンは、降圧トランス４４２ａの入力側と、直流検出部２３０のＩＮ１ピンと、フィルタＡ１１３と、ＡＣ入力部１１１のＮＥＵＴＲＡＬ側に接続されている。
電圧検出部４４２のＩＮ６ピンは、降圧トランス４４２ａの入力側と、直流検出部２３０のＩＮ２ピンと、フィルタＡ１１３と、ヒューズＡ１１２とに接続されている。
【０１７１】
電圧検出部４４２の＋３．３Ｖピンは、電圧変換部２４０の＋３．３Ｖピンに接続される。
電圧検出部４４２のＧＮＤピンは、ヒーター動作部２４１のＧＮＤピンと、直流検出部２３０のＧＮＤピンと、保護動作部４２９のＧＮＤピンと、電解コンデンサ１２６の−極と、低圧電源４１０のＧＮＤ出力ピンとに接続される。
電圧検出部４４２のＶｏｕｔピンは、保護動作部４２８のＶｏｕｔピンに接続される。
【０１７２】
図１６は、実施の形態４における電圧検出部４４２の一例を示す回路図である。
降圧トランス４４２ａの入力側は、電圧検出部４４２のＩＮ５ピン及びＩＮ６ピンに接続されている。
降圧トランス４４２ａの出力側は、ブリッジダイオード４４２ｂの入力側に接続されている。
【０１７３】
ブリッジダイオード４４２ｂの＋ピンは、コンデンサ４４２ｃと、抵抗４４２ｄとに接続されている。
ブリッジダイオード４４２ｂの−ピンは、コンデンサ４４２ｃと、トランジスタ４４２ｅのエミッタと、トランジスタ４４２ｇのエミッタと、コンデンサ４４２ｊと、電圧検出部４４２のＧＮＤピンとに接続されている。
【０１７４】
抵抗４４２ｄは、トランジスタ４４２ｅのベースに接続されている。
トランジスタ４４２ｅのコレクタは、抵抗４４２ｆと、トランジスタ４４２ｇのベースとに接続されている。
トランジスタ４４２ｇのコレクタは、抵抗４４２ｈと、コンデンサ４４２ｊと、電圧検出部４４２のＶｏｕｔピンとに接続されている。
抵抗４４２ｆは、抵抗４４２ｈと、電圧検出部４４２の＋３．３Ｖピンとに接続されている。
【０１７５】
図１７は、実施の形態４における保護動作部４２９の一例を示す回路図である。
保護動作部４２９は、リレーコイル部４２９ａと、トランジスタ４２９ｂと、抵抗４２９ｃと、抵抗４２９ｄと、ダイオード４２９ｅと、ＡＮＤ回路４２９ｆとを備える。
【０１７６】
リレーコイル部４２９ａは、ダイオード４２９ｅのカソードと、保護動作部４２９の＋２４Ｖピンとに接続される。
また、リレーコイル部４２９ａは、ダイオード４２９ｅのアノードと、トランジスタ４２９ｂのコレクタとに接続される。
【０１７７】
トランジスタ４２９ｂのベースは、抵抗４２９ｄと、抵抗４２９ｃとに接続される。
トランジスタ４２９ｂのエミッタは、抵抗４２９ｃと、ＡＮＤ回路４２９ｆのＧＮＤピンと、保護動作部４２９のＧＮＤピンとに接続される。
【０１７８】
抵抗４２９ｄは、ＡＮＤ回路４２９ｆの出力ピンに接続される。
ＡＮＤ回路４２９ｆの入力ピンは、電圧検出部４４２のＶｏｕｔピンと、保護動作部４２９のｄｔｃＩピンと、ヒーター温度コントロール部２８３のＡＣＯＮピンとに接続される。
【０１７９】
次に、実施の形態４の動作について説明する。
実施の形態２又は実施の形態３では、低圧電源２１０、３１０に入力された電圧が瞬断で一時的にＡＣ０Ｖになる場合でも、直流検出部２３０がＨレベルを出力してしまうため、誤って保護動作部２２９を動作させて、ヒューズＣ１３８ａが切断されてしまう可能性がある。従って、直流検出部２３０の抵抗２３０ｅとコンデンサ２３０ｄの時定数を大きくし、ＬレベルからＨレベルに切り替わるまでの時間を長くして瞬断時間を考慮する必要があった。言い換えると、予め定められた期間直流が入力された場合に、Ｈレベルが出力されるようになっている。
【０１８０】
実施の形態４では、電圧検出部４４２を追加し、瞬断時には電圧検出部４４２からＬレベルを出力し、これを保護動作部４２９に入力し、保護動作部４２９が動作しないようにしている。
【０１８１】
電圧検出部４４２の動作について、図１６を用いて説明する。
低圧電源４１０に交流電圧が入力されている場合、電圧検出部４４２のＩＮ５ピン及びＩＮ６ピンにも同様に交流電圧が入力される。降圧トランス４４２ａの入力側に交流電圧が入力されると、降圧トランス４４２ａの出力側にも降圧された交流電圧が出力される。
【０１８２】
この交流電圧は、ブリッジダイオード４４２ｂで整流され、コンデンサ４４２ｃで平滑される。この整流平滑された電圧によって、抵抗４４２ｄを介してトランジスタ４４２ｅにベース電流が流れる。
【０１８３】
電圧検出部４４２の＋３．３Ｖピンから抵抗４４２ｆを介して、トランジスタ４４２ｅにコレクタ電流が流れる。この結果、トランジスタ４４２ｇのベースに電流が流れず、電圧検出部４４２の＋３．３Ｖピンから抵抗４４２ｈを介して、トランジスタ４４２ｇにコレクタ電流が流れない。
【０１８４】
従って、電圧検出部４４２のＶｏｕｔピンの出力は、＋３．３Ｖピンからの電流が流れてＨレベルとなる。
【０１８５】
以上の動作は、低圧電源４１０に直流電圧が入力された場合も同様に行われ、電圧検出部４４２からは、Ｈレベルが出力される。
【０１８６】
一方、低圧電源４１０に交流電圧が入力されている途中で瞬断が発生した場合、電圧検出部４４２のＩＮ５ピン及びＩＮ６ピンに電圧が入力されないため、降圧トランス４４２ａの入力側にも電圧が入力されない。ここで、コンデンサ４４２ｃの電荷により、抵抗４４２ｄを介してトランジスタ４４２ｅのベースに放電電流が流れ、トランジスタ４４２ｅに、＋３．３Ｖピンから抵抗４４２ｆを介して、コレクタ電流が流れる。
【０１８７】
コンデンサ４４２ｃの電荷がなくなると、トランジスタ４４２ｅのコレクタ電流が流れなくなり、電圧検出部４４２の＋３．３Ｖピンから抵抗４４２ｆを介してトランジスタ４４２ｇのベースに電流が流れる。この結果、電圧検出部４４２の＋３．３Ｖピンから抵抗４４２ｈを介して、トランジスタ４４２ｇにコレクタ電流が流れ、電圧検出部４４２のＶｏｕｔピンの出力がＬレベルとなる。
【０１８８】
ヒーター点灯中、かつ、瞬断発生時では、図１７に示されている保護動作部４２９のＡＮＤ回路４２９ｆにおいて、ＡＣＯＮ信号はＨレベル、ｄｔｃ信号はＨレベル、Ｖｏｕｔ信号はＬレベルが入力されるため、そのＡＮＤ回路４２９ｆはＬレベルを出力する。このため、トランジスタ４２９ｂにベース電流が流れず、リレーコイル部４２９ａに電流が流れない。
【０１８９】
リレーコイル部４２９ａに電流が流れないため、図５に示されているヒーター保護部１３８のリレー接点部１３８ｃは、オフのままであり、ヒーター保護部１３８のバリスタ１３８ｂがＬＩＮＥ及びＮＥＵＴＲＡＬ間に接続されない。ＬＩＮＥ及びＮＥＵＴＲＡＬ間が短絡状態とならないため、短絡電流がヒューズＣ１３８ａに流れず、ヒューズＣ１３８ａが切断されることはない。
【０１９０】
保護動作部４２９により、直流検出部２３０により直流が検出され、電圧検出部４４２により電圧が入力されていることが検出され、ヒーター温度コントロール部２８３がヒーター２２をオンにしている場合に、ヒューズＣ１３８ａが切断される。
【０１９１】
以上のように、実施の形態４によれば、ヒーター２２の点灯中に瞬断が発生した場合でも、ヒューズＣ１３８ａが切断されることなく、画像形成装置４００を使用し続けることができる。
【０１９２】
以上に記載された実施の形態１〜４では、ヒーター保護部１３８は、分岐点ＢＰよりもヒーター２２側にあればよく、トライアック１３４との位置が逆になっていてもよい。
【０１９３】
実施の形態５．
図１に示されているように、実施の形態５に係る画像形成装置５００は、実施の形態１に係る画像形成装置１００と比較して、低圧電源５１０及びメイン制御部５８０が異なっている。以下、低圧電源５１０及びメイン制御部５８０について主に説明する。
【０１９４】
図１８は、実施の形態５に係る画像形成装置５００における低圧電源５１０及びメイン制御部５８０の概略構成を示すブロック図である。
図１８においては、低圧電源５１０及びメイン制御部５８０の、実施の形態５の特徴に関わる部分を抜粋したものである。
【０１９５】
電源コード１０１は、商用電源（ＡＣ電源）に接続される。電源コード１０１は、ＡＣインレット１０２に接続され、ＡＣインレット１０２は、低圧電源５１０のＡＣ入力部１１１に接続される。
【０１９６】
ＡＣ入力部１１１のＬＩＮＥ側は、ヒューズＡ１１２に接続される。ヒューズＡ１１２は、フィルタＡ１１３と、直流検出部５３０のＩＮ２ピンとに接続される。
ＡＣ入力部１１１のＮＥＵＴＲＡＬ側は、フィルタＡ１１３と、直流検出部５３０のＩＮ１ピンとに接続される。
【０１９７】
フィルタＡ１１３は、ヒューズＢ１１４と、ヒーター保護部１３８のＩＮ２ピンとに接続される。
ヒューズＢ１１４は、整流ブリッジ１１５の入力側に接続され、フィルタＡ１１３は、整流ブリッジ１１５の入力側と、トライアック１３４と、抵抗１３７とに接続される。
【０１９８】
整流ブリッジ１１５の出力側の＋極は、電解コンデンサ１１６の＋極と、抵抗１１７と、トランス１１８の一次側とに接続される。
整流ブリッジ１１５の出力側の−極は、電解コンデンサ１１６の−極と、抵抗１１９と、電源制御ＩＣ１２０のＧＮＤピンと、電解コンデンサ１２１の−極と、トランス１１８の第３巻線側と、フォトカプラ１２２のエミッタとに接続される。
【０１９９】
抵抗１１７は、電源制御ＩＣ１２０のＶＩＮピンに接続される。
ＦＥＴ１２３のソースは、トランス１１８の一次側に接続され、ＦＥＴ１２３のドレインは、抵抗１１９と、電源制御ＩＣ１２０のＩＳピンとに接続され、ＦＥＴ１２３のゲートは、電源制御ＩＣ１２０のＯＵＴピンに接続される。
【０２００】
トランス１１８の第３巻線側は、ダイオード１２４のアノードと接続され、ダイオード１２４のカソードは、電解コンデンサ１２１の＋極と、電源制御ＩＣ１２０のＶＣＣピンとに接続される。
【０２０１】
フォトカプラ１２２のコレクタは、電源制御ＩＣ１２０のＦＢピンに接続される。
トランス１１８の二次側は、ダイオード１２５のアノードに接続され、ダイオード１２５のカソードは、電解コンデンサ１２６の＋極と、抵抗１２７と、抵抗１２８と、保護動作部５２９の＋２４Ｖピンと、電圧変換部５４０のＶＩＮピンと、低圧電源５１０の＋２４Ｖ出力ピンとに接続される。
【０２０２】
また、トランス１１８の二次側は、可変シャントレギュレータ１３１のアノードと、電解コンデンサ１２６の−極と、抵抗１３２と、保護動作部５２９のＧＮＤピンと、直流検出部５３０のＧＮＤピンと、電圧変換部２４０のＧＮＤピンと、フォトトライアック１３３のカソードと、低圧電源５１０のＧＮＤ出力ピンとに接続される。
【０２０３】
フォトカプラ１２２のアノードは、抵抗１２７に接続される。
フォトカプラ１２２のカソードは、可変シャントレギュレータ１３１のカソードに接続される。
可変シャントレギュレータ１３１のリファレンスピンは、抵抗１２８と抵抗１３２とに接続される。
【０２０４】
フォトトライアック１３３は、トライアック１３４のゲートと、抵抗１３５とに接続される。
また、フォトトライアック１３３は、抵抗１３７に接続される。
抵抗１３５は、トライアック１３４と、ヒーター保護部１３８のＩＮ１ピンへ接続される。
【０２０５】
ヒーター保護部１３８のＯＵＴ１ピンは、ヒーター用ＡＣ出力部１３６と、出力直流検出部５４３のＩＮ１ピンとに接続される。
ヒーター保護部１３８のＯＵＴ２ピンは、ヒーター用ＡＣ出力部１３６と、出力直流検出部５４３のＩＮ２ピンとに接続される。
【０２０６】
電圧変換部５４０の＋５Ｖピンは、保護動作部５２９の＋５Ｖピンと、低圧電源５１０の＋５Ｖ出力ピンとに接続される。
電圧変換部５４０の＋３．３Ｖピンは、直流検出部５３０の＋３．３Ｖピンと、出力直流検出部５４３の＋３．３Ｖピンと、低圧電源５１０の＋３．３Ｖ出力ピンとに接続される。
【０２０７】
直流検出部５３０のｄｔｃＯ１ピンは、保護動作部５２９のｄｔｃＩ１ピンに接続されるとともに、ＤＣ  ｄｔｃコネクタを介して、メイン制御部５８０にある入力電源異常判定部５８２に接続される。
入力電源異常判定部５８２の出力は、ヒーター温度コントロール部１８３と、表示コントロール部１８４とに入力される。
表示コントロール部１８４は、表示部２０に接続される。
【０２０８】
ヒーター温度コントロール部１８３の制御信号（ＡＣＯＮ信号）は、ＡＣＯＮコネクタを介して、フォトトライアック１３３の発光ダイオードのアノードピンに入力される。
フォトトライアック１３３の発光ダイオードのカソードピンは、ＧＮＤに接続される。
メイン制御部５８０の中にある各電圧（＋２４Ｖ、＋５Ｖ、＋３．３Ｖ、ＧＮＤ）は、メイン制御部５８０の各回路に供給される。
【０２０９】
ここで、ヒーター保護部１３８のＩＮ２ピンに接続されている電線は、フィルタＡ１１３と、ヒューズＢ１１４との間の電線に接続され、ヒーター保護部１３８のＩＮ１ピンに接続されている電線は、トライアック１３４を介して、フィルタＡ１１３と、整流ブリッジ１１５との間の電線に接続されている。
言い換えると、画像形成装置５００は、ＡＣインレット１０２において、商用電源から電圧が入力されて、ＡＣインレット１０２に入力された電圧である入力電圧が所望の電圧に変換され、その所望の電圧がメイン制御部５８０に供給される入力される第１の経路と、第１の経路から分岐点ＢＰにおいて分岐し、ヒーター２２に入力電圧が供給される第２の経路とを備える。第２の経路には、ヒーター２２と、トライアック１３４と、ヒーター保護部１３８とが直列に接続されている。
【０２１０】
図１９は、実施の形態５における直流検出部５３０の一例を示す回路図である。
直流検出部５３０は、抵抗５３０ａと、コンデンサ５３０ｂと、フォトカプラ５３０ｃと、コンデンサ５３０ｄと、抵抗５３０ｅとを備える。
抵抗５３０ａは、直流検出部５３０のＩＮ１ピンに接続される。
また、抵抗５３０ａは、コンデンサ５３０ｂに接続される。
コンデンサ５３０ｂは、フォトカプラ５３０ｃに接続される。
【０２１１】
フォトカプラ１２１ｃは、直流検出部５３０のＩＮ２ピンに接続される。
また、フォトカプラ５３０ｃのコレクタは、抵抗５３０ｅと、コンデンサ５３０ｄと、直流検出部５３０のｄｔｃＯ１ピンとに接続される。
さらに、フォトカプラ５３０ｃのエミッタは、直流検出部５３０のＧＮＤピンと、コンデンサ５３０ｄとに接続される。
【０２１２】
図２０は、実施の形態５における保護動作部５２９の一例を示す回路図である。
保護動作部５２９は、リレーコイル部５２９ａと、トランジスタ５２９ｂと、抵抗５２９ｃと、抵抗５２９ｄと、ダイオード５２９ｅと、ＡＮＤ回路５２９ｆとを備える。
【０２１３】
リレーコイル部５２９ａは、ダイオード５２９ｅのカソードと、保護動作部５２９の＋２４Ｖピンとに接続される。
また、リレーコイル部５２９ａは、ダイオード５２９ｅのアノードと、トランジスタ５２９ｂのコレクタとに接続される。
【０２１４】
トランジスタ５２９ｂのベースは、抵抗５２９ｄと、抵抗５２９ｃとに接続される。
トランジスタ５２９ｂのエミッタは、抵抗５２９ｃと、ＡＮＤ回路５２９ｆのＧＮＤピンと、保護動作部５２９のＧＮＤピンとに接続される。
【０２１５】
抵抗５２９ｄは、ＡＮＤ回路５２９ｆの出力ピンに接続される。
ＡＮＤ回路５２９ｆの入力ピンは、保護動作部５２９のｄｔｃＩ１ピン及びｄｔｃＩ２ピンに接続される。
【０２１６】
図２１は、実施の形態５における出力直流検出部５４３の一例を示す回路図である。
出力直流検出部５４３は、抵抗５４３ａと、コンデンサ５４３ｂと、フォトカプラ５４３ｃと、コンデンサ５４３ｄと、抵抗５４３ｅとを備える。
抵抗５４３ａは、出力直流検出部５４３のＩＮ１ピンに接続される。
また、抵抗５４３ａは、コンデンサ５４３ｂに接続される。
コンデンサ５４３ｂは、フォトカプラ５４３ｃに接続される。
【０２１７】
フォトカプラ５４３ｃは、出力直流検出部５４３のＩＮ２ピンに接続される。
フォトカプラ５４３ｃのコレクタは、抵抗５４３ｅと、コンデンサ５４３ｄと、出力直流検出部５４３のｄｔｃＯ２ピンに接続される。
フォトカプラ５４３ｃのエミッタは、出力直流検出部５４３のＧＮＤピンと、コンデンサ５４３ｄとに接続される。
【０２１８】
出力直流検出部５４３は、ヒーター２２に出力される入力電圧の異常を検出する出力異常検出部として機能する。出力直流検出部５４３は、入力電圧が直流である場合に、異常を検出する。
【０２１９】
以上に記載されたメイン制御部５８０の入力電源異常判定部５８２、ヒーター温度コントロール部１８３及び表示コントロール部１８４の一部又は全部は、例えば、図６（Ａ）に示されているように、メモリ３０と、メモリ３０に格納されているプログラムを実行するＣＰＵ等のプロセッサ３１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【０２２０】
また、メイン制御部５８０の入力電源異常判定部５８２、ヒーター温度コントロール部１８３及び表示コントロール部１８４の一部又は全部は、例えば、図６（Ｂ）に示されているように、単一回路、複合回路、プログラム化したプロセッサ、並列プログラム化したプロセッサ、ＡＳＩＣ又はＦＰＧＡ等の処理回路３２で構成することもできる。
なお、ヒーター温度検出部２８６は、ヒーター２２の温度を検出するセンサにより実現することができる。
【０２２１】
次に、実施の形態５における動作を説明する。
ヒーター２２のオン及びオフのスイッチングは、メイン制御部５８０のヒーター温度コントロール部１８３の出力信号であるＡＣＯＮ信号により、トライアック１３４をオン又はオフすることで行われる。
上述のように、トライアック１３４は、直列が入力されるとオフすることができず、オンが継続することになりヒーター２２が点灯し続けてしまう。
【０２２２】
実施の形態１に記載したように、電源供給側から交流が供給されても、例えば、電源供給側の事故等により、商用電源としての供給元より直流が供給されても、メイン制御部５８０は、降圧された直流電圧を得ることができるため、処理を行うことができる。
【０２２３】
まず、ヒーター２２が点灯状態である場合の動作について説明する。
低圧電源５１０に直流が供給されると、供給された直流は、低圧電源５１０のＡＣ入力部１１１及びヒューズＡ１１２を通り、直流検出部５３０のＩＮ１ピン又はＩＮ２ピンに入力される。
【０２２４】
直流検出部５３０に直流が供給されると、直流検出部５３０のｄｔｃＯ１からの出力は、Ｈレベルとなる。これは、実施の形態１と同様である。
直流検出部５３０は、商用電源から入力される電圧である入力電圧の異常を検出する入力異常検出部として機能する。直流検出部５３０は、入力電圧が直流である場合に、異常を検出する。
【０２２５】
ヒーター温度コントロール部１８３のＡＣＯＮ信号によりＨレベルを出力すると、フォトトライアック１３３の発光ダイオードが点灯し、トライアック１３４がオンとなる。商用電源から供給された直流は、低圧電源５１０のＡＣ入力部１１１、ヒューズＡ１１２、フィルタＡ１１３、トライアック１３４及びヒーター保護部１３８を通り、ヒーター用ＡＣ出力部１３６と、出力直流検出部５４３のＩＮ１ピンとに入力される。
【０２２６】
出力直流検出部５４３に直流が供給されると、出力直流検出部５４３のｄｔｃＯ２ピンからの出力はＨレベルとなる。
具体的には、出力直流検出部５４３のＩＮ１ピンに直流が供給されると、図２１に示されているように、抵抗５４３ａには電圧がかかるが、コンデンサ５４３ｂによって直流が遮断され、出力直流検出部５４３には、電流が流れない。従って、フォトカプラ５４３ｃは動作せず、＋３．３Ｖピンから入力される電流がｄｔｃＯ２ピンから出力されて、その出力信号は、Ｈレベルとなる。
【０２２７】
ｄｔｃＯ２ピンは、保護動作部５２９のｄｔｃＩ２ピンに接続されているため、図２０に示されている保護動作部５２９のｄｔｃＩ２ピンへの入力は、Ｈレベルとなる。
ここでは、保護動作部５２９のＡＮＤ回路５２９ｆの入力信号は何れもＨレベルのため、ＡＮＤ回路５２９ｆからの出力は、Ｈレベルとなる。このため、抵抗５２９ｄを介してトランジスタ５２９ｂのベースに電流が流れ、保護動作部５２９のリレーコイル部５２９ａに電流が流れる。
【０２２８】
リレーコイル部５２９ａに電流が流れると、図５に示されているヒーター保護部１３８のリレー接点部１３８ｃがオンになる。この場合、ヒーター保護部１３８のバリスタ１３８ｂがＬＩＮＥ及びＮＥＵＴＲＡＬ間に接続される。バリスタ１３８ｂとして、バリスタ電圧が例えば８０Ｖとなるようなものを使用することで、供給電圧が８０Ｖ以上となると、ＬＩＮＥ及びＮＥＵＴＲＡＬ間が短絡状態となる。短絡電流がヒーター保護部１３８のヒューズＣ１３８ａに流れると、ヒューズＣ１３８ａが断となり、ヒーター２２に電圧を供給することができなくなる。以上により、ヒーター２２を安全に停止させることができる。
【０２２９】
保護動作部５２９によれば、直流検出部５３０で直流が検出され、出力直流検出部５４３で直流が検出された場合に、ヒューズＣ１３８ａが切断される。
【０２３０】
次に、ヒーター２２が消灯状態の場合の動作を説明する。
低圧電源５１０に直流が供給されると、供給された直流は、低圧電源５１０のＡＣ入力部１１１及びヒューズＡ１１２を通り、直流検出部５３０のＩＮ１ピン又はＩＮ２ピンに入力される。直流検出部５３０に直流が供給されると、直流検出部５３０のｄｔｃＯ１ピンからの出力は、Ｈレベルとなる。これは、実施の形態１と同様である。
【０２３１】
ヒーター２２が消灯状態の場合、ヒーター温度コントロール部１８３のＡＣＯＮピンからは、Ｌレベルが出力される。そのため、フォトトライアック１３３の発光ダイオードは消灯し、トライアック１３４は、開放状態となる。従って、ヒーター２２に電流が流れない。
【０２３２】
出力直流検出部５４３には、直流が供給されないため、出力直流検出部５４３のｄｔｃＯ２ピンからの出力は、Ｈレベルとなる。
具体的には、ＩＮ１ピンに直流が供給されないため、出力直流検出部５４３には、電流が流れず、フォトカプラ５４３ｃは動作しない。フォトカプラ５４３ｃが動作しないため、＋３．３Ｖピンから入力される電流がｄｔｃＯ２ピンから出力され、その出力はＨレベルとなる。
【０２３３】
図２０に示されている保護動作部５２９のＡＮＤ回路５２９ｆの入力信号は、何れもＨレベルのため、ＡＮＤ回路５２９ｆは、Ｈレベルを出力する。抵抗５２９ｄを介してトランジスタ５２９ｂのベースに電流が流れ、保護動作部５２９のリレーコイル部５２９ａに電流が流れる。
【０２３４】
リレーコイル部５２９ａに電流が流れると、図５に示されているヒーター保護部１３８のリレー接点部１３８ｃは、オンになる。ヒーター保護部１３８のバリスタ１３８ｂがＬＩＮＥ及びＮＥＵＴＲＡＬ間に接続され、ＬＩＮＥ及びＮＥＵＴＲＡＬ間が短絡状態となるが、短絡電流がヒューズＣ１３８ａに流れないため、ヒューズＣ１３８ａが切断されることはない。
【０２３５】
図２２は、実施の形態５における入力電源異常判定部５８２の動作を示すフローチャートである。
入力電源異常判定部５８２は、直流検出部５３０のｄｔｃＯ１ピンからの出力により、直流検出部１３０が直流を検出したか否かを判断する（Ｓ３０）。直流が検出された場合（Ｓ３０でＹｅｓ）には、処理はステップＳ３１に進む。
【０２３６】
ステップＳ３１では、入力電源異常判定部５８２は、ヒーター温度コントロール部１８３からの出力により、ヒーター２２が点灯中であるか否かを判断する。点灯中である場合（Ｓ３１でＹｅｓ）には、処理はステップＳ３２に進み、消灯中である場合（Ｓ３１でＮｏ）には、処理はステップＳ３３に進む。
【０２３７】
ステップＳ３２では、入力電源異常判定部５８２は、表示コントロール部１８４に指示することで、表示部２０に警告を表示させる。ここでは、例えば、表示部２０は、「電源入力異常、直流を検出しました。ヒーター保護回路が動作しました。サービスマンを呼んでください」とのメッセージを表示する。
【０２３８】
一方、ステップＳ３３では、入力電源異常判定部５８２は、ヒーター温度コントロール部１８３に指示することで、ヒーターコントロール信号を強制的にオフにする。これにより、ヒーター温度コントロール部１８３は、出力信号であるＡＣＯＮ信号をＨレベルにすることができなくなる。
【０２３９】
そして、入力電源異常判定部５８２は、表示コントロール部１８４に指示することで、表示部２０に警告を表示させる（Ｓ３４）。ここでは、例えば、表示部２０は、「電源入力異常、直流を検出しました」とのメッセージを表示する。
【０２４０】
実施の形態５では、直流検出部５３０、出力直流検出部５４３及び保護動作部５２９はハードウェアで構成されており、入力電源異常判定部５８２等のファームウェアが誤動作した場合を考慮して構成されている。
【０２４１】
例えば、ヒーター２２が点灯中で、かつ、低圧電源５１０に交流が入力されているにもかかわらず、入力電源異常判定部５８２が誤って、直流が入力されていると判断した場合、ファームウェアで処理すると、誤って保護動作部５２９を動作させ、ヒーター保護部１３８のヒューズＣ１３８ａを切断してしまう。
【０２４２】
実施の形態５では、直流検出部５３０及び出力直流検出部５４３からの出力は、Ｈレベルではなく、Ｌレベルであるため、保護動作部５２９のＡＮＤ回路５２９ｆは、Ｌレベルを出力する。このため、ヒューズＣ１３８ａは切断されない。
【０２４３】
また、例えば、ヒーター２２が点灯中で、かつ、低圧電源５１０に直流が入力されているにもかかわらず、入力電源異常判定部５８２が誤って交流が入力されていると判断した場合、ファームウェアで処理すると、保護動作部５２９を動作させることができず、トライアック１３４がオンし続け、更にヒーター２２が点灯し続けてしまい、安全性が損なわれてしまう。
【０２４４】
実施の形態５では、直流検出部５３０及び出力直流検出部５４３からの出力は、Ｌレベルではなく、Ｈレベルであるため、保護動作部５２９のＡＮＤ回路５２９ｆはＨレベルを出力する。このため、ヒューズＣ１３８ａが切断され、ヒーター２２を保護することができる。
【０２４５】
以上のように、実施の形態５によれば、供給側の事故等によって、直流が供給されることで、トライアック１３４がヒーター２２のオフ制御を行うことができなくなった場合でも、ヒーター２２を安全に停止させることができる。
【０２４６】
また、ヒーター２２が消灯中に直流が供給された場合には、ヒーター温度コントロール部１８３からのヒーター制御信号であるＡＣＯＮ信号がＨレベルとならないようにしているため、直流供給によってトライアック１３４がヒーター２２のオフ制御を行うことができなくなる前に、ヒーター２２を保護することが可能となり、ヒューズＣ１３８ａが切断されることなく、ヒーター２２を安全に停止することができる。
【０２４７】
さらに、ヒーター２２が点灯中に直流が供給され、直流検出部５３０からの直流検出信号ｄｔｃを入力電源異常判定部５８２で検出する間に、ヒーター温度コントロール部１８３がヒーター制御信号であるＡＣＯＮ信号をオフし、トライアック１３４がヒーター２２のオフ制御をおこなうことができなくなった場合でも、直流検出部５３０からの直流検出信号と、出力直流検出部５４３からの直流検出信号とのＡＮＤ条件によって、ヒーター保護部１３８のヒューズＣ１３８ａが動作されるため、ヒーター２２を強制的にオフにすることができ、より安全にヒーター２２を停止させることができる。
【０２４８】
なお、実施の形態５では、図２０に示されているように、直流検出部５３０での直流検出信号（入力直流検出信号）と、出力直流検出部５４３での直流検出信号（出力直流検出信号）の両方が、直流を検出していること（両方、Ｈレベルであること）により、ヒューズＣ１３８ａが切断されるようになっているが、実施の形態５はこのような例に限定されない。
例えば、出力直流検出部５４３で直流が検出された場合に、ヒューズＣ１３８ａが切断されるようになっていてもよい。低圧電源５１０に直流が入力され、かつ、ヒーター２２が点灯されている場合に、出力直流検出部５４３で直流が検出されるためである。このような場合には、図２０において、出力直流検出部５４３の検出信号が、抵抗５２９ｄを介して、トランジスタ５２９ｂのベースに入力されるようにすればよい。
【０２４９】
以上に記載された実施の形態５では、ヒーター保護部１３８は、分岐点ＢＰよりもヒーター２２側にあればよく、トライアック１３４との位置が逆になってもよい。
但し、出力直流検出部５４３は、トライアック１３４よりもヒーター２２側に配置されている必要がある。
【０２５０】
なお、図１８に示されているように、分岐点ＢＰから、トライアック１３４、ヒーター保護部１３８、出力直流検出部５４３及びヒーター２２の順に配置されている場合には、出力直流検出部５４３から出力される信号で、ヒューズＣ１３８ａが切断されていることも検出することができる。
一方、分岐点ＢＰから、トライアック１３４、出力直流検出部５４３、ヒーター保護部１３８及びヒーター２２の順に配置されている場合には、出力直流検出部５４３から出力される信号で、ヒューズＣ１３８ａが切断された後でも、低圧電源５１０に直流が入力されていることを検出することができる。
【０２５１】
実施の形態６．
図１に示されているように、実施の形態６に係る画像形成装置６００は、実施の形態１に係る画像形成装置１００と比較して、低圧電源６１０及びメイン制御部６８０が異なっている。以下、低圧電源６１０及びメイン制御部６８０について主に説明する。
【０２５２】
図２３は、実施の形態６に係る画像形成装置６００における低圧電源６１０及びメイン制御部６８０の概略構成を示すブロック図である。
図２３においては、低圧電源６１０及びメイン制御部６８０の、実施の形態６の特徴に関わる部分を抜粋したものである。
【０２５３】
電源コード１０１は、商用電源（ＡＣ電源）に接続される。電源コード１０１は、ＡＣインレット１０２に接続され、ＡＣインレット１０２は、低圧電源６１０のＡＣ入力部１１１に接続される。
【０２５４】
ＡＣ入力部１１１のＬＩＮＥ側は、ヒューズＡ１１２に接続される。ヒューズＡ１１２は、フィルタＡ１１３と、ＡＣゼロクロス回路６４４のＩＮ２ピンとに接続される。
ＡＣ入力部１１１のＮＥＵＴＲＡＬ側は、フィルタＡ１１３と、ＡＣゼロクロス回路６４４のＩＮ１ピンとに接続される。
【０２５５】
フィルタＡ１１３は、ヒューズＢ１１４と、ヒーター保護部１３８のＩＮ２ピンとに接続される。
ヒューズＢ１１４は、整流ブリッジ１１５の入力側に接続され、フィルタＡ１１３は、整流ブリッジ１１５の入力側と、ヒューズＣ６４５を介して、ヒーター保護部６３８のＩＮ１ピンとに接続される。
【０２５６】
整流ブリッジ１１５の出力側の＋極は、電解コンデンサ１１６の＋極と、抵抗１１７と、トランス１１８の一次側に接続される。
整流ブリッジ１１５の出力側の−極は、電解コンデンサ１１６の−極と、抵抗１１９と、電源制御ＩＣ１２０のＧＮＤピンと、電解コンデンサ１２１の−極と、トランス１１８の第３巻線側と、フォトカプラ１２２のエミッタとに接続される。
【０２５７】
抵抗１１７は、電源制御ＩＣ１２０のＶＩＮピンに接続される。
ＦＥＴ１２３のソースは、トランス１１８の一次側に接続され、ＦＥＴ１２３のドレインは、抵抗１１９と、電源制御ＩＣ１２０のＩＳピンとに接続され、ＦＥＴ１２３のゲートは、電源制御ＩＣ１２０のＯＵＴピンに接続される。
【０２５８】
トランス１１８の第３巻線側は、ダイオード１２４のアノードと接続され、ダイオード１２４のカソードは、電解コンデンサ１２１の＋極と、電源制御ＩＣ１２０のＶＣＣピンに接続される。
【０２５９】
フォトカプラ１２２のコレクタは、電源制御ＩＣ１２０のＦＢピンに接続される。
トランス１１８の二次側は、ダイオード１２５のアノードに接続され、ダイオード１２５のカソードは、電解コンデンサ１２６の＋極と、抵抗１２７と、抵抗１２８と、保護動作部１２９の＋２４Ｖピンと、低圧電源６１０の＋２４Ｖ出力ピンとに接続される。
【０２６０】
トランス１１８の二次側は、可変シャントレギュレータ１３１のアノードと、電解コンデンサ１２６の−極と、抵抗１３２と、保護動作部１２９のＧＮＤピンと、ＡＣゼロクロス回路６４４のＧＮＤピンと、低圧電源６１０のＧＮＤ出力ピンとに接続される。
【０２６１】
フォトカプラ１２２のアノードは、抵抗１２７に接続される。
フォトカプラ１２２のカソードは、可変シャントレギュレータ１３１のカソードに接続される。
可変シャントレギュレータ１３１のリファレンスピンは、抵抗１２８と、抵抗１３２とに接続される。
【０２６２】
フォトトライアック１３３は、トライアック１３４のゲートと、抵抗１３５とに接続される。
また、フォトトライアック１３３は、抵抗１３７に接続される。
【０２６３】
抵抗１３５は、トライアック１３４と、ヒーター用ＡＣ出力部１３６とに接続される。
ヒーター保護部１３８のＯＵＴ２ピンは、ヒーター用ＡＣ出力部１３６に接続される。
【０２６４】
トライアック１３４は、抵抗１３７と、ヒーター保護部６３８のＯＵＴ１ピンとに接続される。
また、トライアック１３４は、ヒーター用ＡＣ出力部１３６に接続される。
【０２６５】
ＡＣゼロクロス回路６４４のＧＮＤピンは、低圧電源６１０のＧＮＤピンに接続されている。
ＡＣゼロクロス回路６４４のＯＵＴピンは、ＡＣＺＥＲＯコネクタを介して、メイン制御部６８０にＡＣゼロクロス信号を出力する。
ＡＣゼロクロス回路６４４の＋５Ｖピンには、図示されていないが、＋２４Ｖ電源からＤＣ−ＤＣコンバータで生成された＋５Ｖが入力される。
【０２６６】
メイン制御部６８０は、画像形成装置６００を制御する制御基板である。
電圧変換部１８５は、メイン制御部６８０の＋２４Ｖ入力ピン又は＋５Ｖ入力ピンから入力される＋２４Ｖ又は＋５Ｖから、ＤＣ−ＤＣ変換回路で、制御基板のロジック等で用いられる各電源（３．３Ｖ又は１．８Ｖ等）を生成する。
【０２６７】
表示コントロール部１８４は、表示部２０のディスプレーに各種表示を行わせる。
不揮発性記憶部６８８は、エラー情報を記憶する。
印刷コントロール部６８１は、画像形成装置６００での画像形成（印刷）を制御する。印刷コントロール部６８１には、ヒーター温度コントロール部６８３が含まれる。
【０２６８】
ヒーター温度コントロール部６８３からの出力は、ヒーターコントロール信号（ＡＣＯＮ信号）であり、一旦、入力電源異常判定部６８２に入り、入力電源異常判定部６８２から、ＡＣＯＮコネクタを介して、フォトトライアック１３３に入力される。
入力電源異常判定部６８２は、ＦＣコネクタを介して、ヒューズカット信号（ＦＣ信号）を出力し、そのＦＣ信号は、保護動作部６２９のＦＣＩピンに入力される。
【０２６９】
ＡＣゼロクロス回路６４４のＯＵＴピンから出力されるＡＣゼロクロス信号は、ＡＣＺＥＲＯコネクタを介して、入力電源異常判定部６８２に入力される。ＡＣゼロクロス信号は、印刷コントロール部６８１で、定着器１１のヒーター２２がハロゲンランプの場合、フリッカ対策におけるヒーター位相制御で用いられる。
【０２７０】
ここで、ヒーター保護部６３８のＩＮ２ピンに接続されている電線は、フィルタＡ１１３と、ヒューズＢ１１４との間の電線に接続され、ヒーター保護部６３８のＩＮ１ピンに接続されている電線は、フィルタＡ１１３と、整流ブリッジ１１５との間の電線に接続されている。
言い換えると、画像形成装置６００においては、ＡＣインレット１０２において、商用電源から電圧が入力されて、ＡＣインレット１０２に入力された電圧である入力電圧が所望の電圧に変換され、その所望の電圧がメイン制御部１８０に供給される入力される第１の経路と、第１の経路から分岐点ＢＰにおいて分岐し、ヒーター２２に入力電圧が供給される第２の経路とを通ることになる。第２の経路には、ヒーター２２と、トライアック１３４と、ヒューズ６４５Ｃと、ヒーター保護部６３８とが直列に接続されている。
【０２７１】
図２４は、実施の形態６におけるＡＣゼロクロス回路６４４の一例を示す回路図である。
ＡＣゼロクロス回路６４４は、抵抗６４４ａと、抵抗６４４ｂと、抵抗６４４ｃと、フォトカプラ６４４ｄと、抵抗６４４ｅと、コンデンサ６４４ｆと、デジトラ６４４ｇとを備える。
【０２７２】
抵抗６４４ａは、ＡＣゼロクロス回路６４４のＩＮ１ピンに接続される。
また、抵抗６４４ａは、抵抗６４４ｂと、フォトカプラ６４４ｄとに接続される。
【０２７３】
抵抗６４４ｃは、ＡＣゼロクロス回路６４４のＩＮ２ピンに接続される。
また、抵抗６４４ｃは、抵抗６４４ｂと、フォトカプラ６４４ｄとに接続される。
【０２７４】
フォトカプラ６４４ｄは、抵抗６４４ｅと接続される。
また、フォトカプラ６４４ｄは、コンデンサ６４４ｆと、デジトラ６４４ｇのベースとに接続される。
【０２７５】
抵抗６４４ｅは、ＡＣゼロクロス回路６４４の＋５Ｖピンに接続される。
デジトラ６４４ｇのエミッタは、ＡＣゼロクロス回路６４４のＧＮＤピンに接続され、デジトラ６４４ｇのコレクタは、ＡＣゼロクロス回路６４４のＯＵＴピンに接続される。
【０２７６】
なお、ＡＣゼロクロス回路６４４は、幾つか違う回路構成も存在する。上記構成以外のＡＣゼロクロス回路でも実施の形態６に適用することができる。
ここで、ＡＣゼロクロス回路６４４は、入力電圧の交流ゼロクロス点を検出する交流ゼロクロス検出部として機能する。
【０２７７】
図２５は、実施の形態６における保護動作部６２９の一例を示す回路図である。
保護動作部６２９は、リレーコイル部６２９ａと、トランジスタ６２９ｂと、抵抗６２９ｃと、ダイオード６２９ｄとを備える。
【０２７８】
リレーコイル部６２９ａは、ダイオード６２９ｄのカソードと、保護動作部６２９の＋２４Ｖピンとに接続される。
また、リレーコイル部６２９ａは、ダイオード６２９ｄのアノードと、トランジスタ６２９ｂのコレクタとに接続される。
【０２７９】
トランジスタ６２９ｂのベースは、抵抗６２９ｃに接続される。
抵抗６２９ｃは、保護動作部６２９のＦＣＩピンに接続される。
【０２８０】
図２６は、実施の形態６におけるヒーター保護部６３８の一例を示す回路図である。
ヒーター保護部６３８は、バリスタ６３８ｂと、リレー接点部６３８ｃとを備える。
【０２８１】
バリスタ６３８ｂは、ヒューズＣ６４５と、ヒーター保護部６３８のＯＵＴ１ピンとに接続される。
また、バリスタ６３８ｂは、リレー接点部６３８ｃに接続される。
リレー接点部６３８ｃは、ヒーター保護部６３８のＯＵＴ２ピン及びＩＮ２ピンに接続される。
【０２８２】
ここで、ヒューズＣ６４５は、着脱可能な定着器１１内に設けられている。なお、図２３に示されているように、ヒューズＣ６４５は、ＮＥＵＴＲＡＬと、ヒーター保護部６３８のＩＮ１ピンとに接続される。
【０２８３】
図２７は、商用電源の系統を説明するための概略図である。
画像形成装置６００は、ＡＣコンセント４０を介して、パワーコンディショナー４１に接続されている。
パワーコンディショナー４１は、分電盤から室内配線でＡＣコンセント４０に接続される。パワーコンディショナー４１には、商用電源からの交流と、太陽光パネル４２からの直流とが入力される。
【０２８４】
ここで、パワーコンディショナー４１が故障することで、太陽光パネル４２の直流が、ＡＣコンセント４０に流入するケースと、商用電源からの交流及び太陽光パネル４２からの直流が重畳するケースとが想定される。
【０２８５】
図２８（Ａ）〜（Ｃ）は、ＡＣゼロクロス信号と、電源波形との関係を示すグラフである。
図２８（Ａ）〜（Ｃ）に示されているグラフの横軸は時間であり、縦軸は電圧値である。但し、図２８（Ａ）〜（Ｃ）に示されているＡＣゼロクロス信号は、電源波形と比較するために示されており、縦軸の電圧値とは無関係である。
【０２８６】
図２８（Ａ）は、低圧電源６１０に入力されるＡＣ１００Ｖ／５０Ｈｚにおける電源波形４３Ａと、電源波形４３ＡにおけるＡＣゼロクロス信号４４Ａとを示す。図２８（Ａ）に示されているように、ＡＣゼロクロス信号がＨレベルとなる周期（ｔ１、ｔ２、ｔ３）は、１０ｍｓで均等に出力される。なお、ＡＣゼロクロス信号がＨレベルにおいて、ＡＣゼロクロス点が検出されている。
【０２８７】
図２８（Ｂ）は、低圧電源６１０への入力が、ＡＣ１００Ｖ／５０ＨｚからＤＣ５０Ｖに切り替わった場合の電源波形４３Ｂと、電源波形４３ＢにおけるＡＣゼロクロス信号４４Ｂとを示す。図２８（Ｂ）に示されているように、電源からの入力がＤＣに切り替わると、ＡＣゼロクロス信号においてＨレベルが出力されなくなる。なお、図示していないが、瞬断が１サイクル（ここでは、２０ｍｓ）なら、瞬断後にＡＣゼロクロス信号のＨレベルが出力される。実施の形態６では、瞬断が３サイクルになると、画像形成装置６００の二次側電源低下により、画像形成装置６００は動作を停止するものとする。
【０２８８】
図２８（Ｃ）は、低圧電源６１０への入力が、ＡＣ１００Ｖ／５０ＨｚにＤＣ５０Ｖが重畳された場合の電源波形４３Ｃと、電源波形４３ＣにおけるＡＣゼロクロス信号４４Ｃとを示す。この場合、図２８（Ｃ）において、ｔ４、ｔ５及びｔ６として示されているように、ＡＣゼロクロス信号４４Ｃの周期が、短、長、短、長で繰り返される。例えば、交流電源の周波数が５０Ｈｚの場合、通常、ＡＣゼロクロス信号の周期は１０ｍｓになるはずである。これに対して、ＡＣゼロクロス信号の周期が、短い周期で８ｍｓ以下、長い周期で１２ｍｓ以上となる現象が連続する場合には、ＡＣにＤＣが重畳したと識別することができる。
【０２８９】
以上に記載されたメイン制御部６８０の印刷コントロール部６８１、入力電源異常判定部６８２、ヒーター温度コントロール部６８３及び表示コントロール部１８４の一部又は全部は、例えば、図６（Ａ）に示されているように、メモリ３０と、メモリ３０に格納されているプログラムを実行するＣＰＵ等のプロセッサ３１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【０２９０】
また、メイン制御部６８０の印刷コントロール部６８１、入力電源異常判定部６８２、ヒーター温度コントロール部６８３及び表示コントロール部１８４の一部又は全部は、例えば、図６（Ｂ）に示されているように、単一回路、複合回路、プログラム化したプロセッサ、並列プログラム化したプロセッサ、ＡＳＩＣ又はＦＰＧＡ等の処理回路３２で構成することもできる。
なお、不揮発性記憶部６８８は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）又はＦｌａｓｈメモリ等の不揮発性メモリで構成することができる。
【０２９１】
次に、実施の形態６の動作について説明する。
図２９は、入力電源異常判定部６８２での動作を示すフローチャートである。
まず、入力電源異常判定部６８２は、ＡＣゼロクロス回路６４４からのＡＣゼロクロス信号においてＡＣゼロクロス点（Ｈレベル）が消失したか否かを判断する（Ｓ４０）。例えば、入力電源異常判定部６８２は、ＡＣゼロクロス信号のＨレベルが、予め定められた時間、検出されない場合、ＡＣゼロクロス点が消失したと判断する。ここで、予め定められた時間は、例えば、正常時のＡＣゼロクロス信号の１周期の時間（例えば、１０ｍｓ）から２周期の時間（例えば、２０ｍｓ）の間から選択された時間であればよい。また、ＡＣゼロクロス点が消失した場合には、入力電源異常判定部６８２は、低圧電源６１０に直流電圧が入力されている又は入力電圧が瞬断していると判定することができる。
【０２９２】
ＡＣゼロクロス点が消失した場合（Ｓ４０でＹｅｓ）には、処理はステップＳ４５に進み、ＡＣゼロクロス点が消失していない場合（Ｓ４０でＮｏ）には、処理はステップＳ４１に進む。
【０２９３】
ステップＳ４１では、入力電源異常判定部６８２は、ＡＣゼロクロス信号の周波数が異常であるか否かを判断する。ここで、入力電源異常判定部６８２は、その周波数が、予め定められた第１の閾値よりも大きい状態と、予め定められた第２の閾値よりも小さい状態とが繰り返されている場合に、ＡＣゼロクロス信号の周波数が異常であると判断する。なお、第１の閾値は、第２の閾値よりも大きいことが望ましい。具体的には、第１の閾値は、正常時のＡＣゼロクロス信号の周期よりも大きいことが望ましく、第２の閾値は、正常時のＡＣゼロクロス信号の周期よりも小さいことが望ましい。
【０２９４】
ＡＣゼロクロス信号の周波数が異常である場合（Ｓ４１でＹｅｓ）には、処理はステップＳ１２に進み、ＡＣゼロクロス信号の周波数が正常である場合（Ｓ４１でＮｏ）には、正常な交流が入力されているため、処理はステップＳ４０に戻る。
【０２９５】
ステップＳ４２では、交流電圧に直流電圧が重畳された電圧が低圧電源６１０に入力されているため、入力電源異常判定部６８２は、フォトトライアック１３３へのＡＣＯＮ信号がＨレベルとならないように、ＡＣＯＮ信号をガードする。これにより、ヒーター２２の動作が停止される。
そして、入力電源異常判定部６８２は、エラー処理として、印刷コントロール部６８１に印刷動作を停止されるとともに、不揮発性記憶部６８８に、交流と直流とが重畳したことによる周期異常のエラーコードを記録する。
【０２９６】
次に、入力電源異常判定部６８２は、表示コントロール部１８４に指示することで、表示部２０に警告を表示させる（Ｓ４４）。ここでは、表示部２０は、例えば、「電源入力異常を検出しました。印刷動作を停止させています。電源をＯＦＦして、サービスマンを呼んでください。」とのメッセージを表示する。そして、処理はステップＳ４０に戻る。
【０２９７】
ステップＳ４０において、ＡＣゼロクロス点が消失したと判断した場合（Ｓ４０でＹｅｓ）には、処理はステップＳ４５に進む。
ステップＳ４５では、入力電源異常判定部６８２は、ヒーター温度コントロール部６８３からの信号により、ヒーター２２を点灯しているか否かを判断する。ヒーター２２を点灯している場合（Ｓ４５でＹｅｓ）には、処理はステップＳ４６に進み、ヒーター２２を消灯している場合（Ｓ４５でＮｏ）には、処理はステップＳ５３に進む。なお、ヒーター２２が点灯している場合には、ヒーター温度コントロール部６８３からのＡＣＯＮ信号がＨレベルとなっており、ヒーター２２が消灯している場合には、ヒーター温度コントロール部６８３からのＡＣＯＮ信号がＬレベルとなっている。
【０２９８】
ステップＳ４６では、入力電源異常判定部６８２は、予め定められた時間を計数するタイマをスタートする。ここでは、予め定められた時間は、８０ｍｓであるものとする。８０ｍｓは、通常のＡＣゼロクロス信号の１サイクル（２周期）が２０ｍｓである場合に、３サイクルで画像形成装置６００の電源が落ちるため、１サイクルのマージンを含めて４サイクル（２０ｍｓ×４＝８０ｍｓ）とした。
【０２９９】
次に、入力電源異常判定部６８２は、ＡＣゼロクロス回路６４４からのＡＣゼロクロス信号においてＡＣゼロクロス点を検出したか否かを判断する（Ｓ４７）。ＡＣゼロクロス点が検出された場合（Ｓ４７でＹｅｓ）には、処理はステップＳ４８に進み、ＡＣゼロクロス点が検出されない場合（Ｓ４７でＮｏ）には、処理はステップＳ４９に進む。
【０３００】
ステップＳ４８では、入力電源異常判定部６８２は、ステップＳ４６で開始したタイマをクリアして、計時を終了する。この場合は、入力電圧が瞬断された場合であり、処理はステップＳ４０に戻る。
一方、ステップＳ４９では、入力電源異常判定部６８２は、ステップＳ４６でスタートしたタイマが、予め定められた時間に到達したか否かを判断する。予め定められた時間に到達した場合（Ｓ４８でＹｅｓ）には、処理はステップＳ５０に進み、予め定められた時間に到達していない場合（Ｓ４８でＮｏ）には、処理はステップＳ４７に戻る。
【０３０１】
ステップＳ５０では、入力電源異常判定部６８２は、保護動作部６２９に送るヒューズカット信号をＨレベルにすることで、ヒューズＣ６４５を切断させる。
そして、入力電源異常判定部６８２は、エラー処理として、印刷コントロール部６８１に印刷動作を停止させ、不揮発性記憶部６８８に直流の入力によるエラーコードを記録する。
【０３０２】
次に、入力電源異常判定部６８２は、表示コントロール部１８４に指示することで、表示部２０に警告を表示させる（Ｓ５２）。ここでは、例えば、表示部２０は、「電源入力異常を検出しました。印刷動作を停止させています。電源をＯＦＦして、サービスマンを呼んでください。」とのメッセージを表示する。
【０３０３】
ステップＳ４５で、ヒーター２２が点灯していない場合（Ｓ４５でＮｏ）には、処理はステップＳ５３に進む。
ステップＳ５３では、入力電源異常判定部６８２は、フォトトライアック１３３へのＡＣＯＮ信号がＨレベルとならないように、ＡＣＯＮ信号をガードする。
【０３０４】
次に、入力電源異常判定部６８２は、予め定められた時間を計数するタイマをスタートする（Ｓ５４）。ここでも、予め定められた時間は、８０ｍｓであるものとする。
【０３０５】
次に、入力電源異常判定部６８２は、ＡＣゼロクロス回路６４４からのＡＣゼロクロス信号においてＡＣゼロクロス点を検出したか否かを判断する（Ｓ５５）。ＡＣゼロクロス点が検出された場合（Ｓ５５でＹｅｓ）には、処理はステップＳ５６に進み、ＡＣゼロクロス点が検出されない場合（Ｓ５５でＮｏ）には、処理はステップＳ５７に進む。
【０３０６】
ステップＳ５６では、入力電源異常判定部６８２は、ステップＳ４６で開始したタイマをクリアして、計時を終了するとともに、ステップＳ５３で設定したＡＣＯＮ信号のガードを解除する。この場合は、入力電圧が瞬断された場合であり、処理はステップＳ４０に戻る。
一方、ステップＳ５７では、入力電源異常判定部６８２は、ステップＳ５４でスタートしたタイマが、予め定められた時間に到達したか否かを判断する。予め定められた時間に到達した場合（Ｓ５７でＹｅｓ）には、処理はステップＳ５８に進み、予め定められた時間に到達していない場合（Ｓ５７でＮｏ）には、処理はステップＳ５５に戻る。
【０３０７】
ステップＳ５８では、入力電源異常判定部６８２は、エラー処理として、印刷コントロール部６８１に印刷動作を停止させ、不揮発性記憶部６８８に直流の入力によるエラーコードを記録する。
【０３０８】
次に、入力電源異常判定部６８２は、表示コントロール部１８４に指示することで、表示部２０に警告を表示させる（Ｓ５９）。ここでは、例えば、表示部２０は、「電源入力異常を検出しました。印刷動作を停止させています。電源をＯＦＦして、サービスマンを呼んでください。」とのメッセージを表示する。
【０３０９】
次に、図２９に示されているフローチャートを用いて、低圧電源６１０への入力が正常な交流である場合、交流に直流が重畳されて低圧電源６１０への入力されている場合、及び、低圧電源６１０への入力が直流である場合について説明する。
【０３１０】
まず、低圧電源６１０への入力が正常な交流である場合について説明する。
ステップＳ４０では、入力電源異常判定部６８２は、ＡＣゼロクロス信号の周期時間において、ＡＣゼロクロス点の消失の判定を行う。ここでは、正常時であるため、ＡＣゼロクロス点が検出され、処理はステップＳ４１に進む。
【０３１１】
ステップＳ４１では、入力電源異常判定部６８２は、周期異常を判定する。ここでは、正常な交流が入力されているため、処理はステップＳ４０に戻る。
【０３１２】
次に、交流に直流が重畳されて低圧電源６１０への入力されている場合について説明する。
まず、ステップＳ４０では、入力電源異常判定部６８２は、ＡＣゼロクロス点を検出しているため、処理はステップＳ４１に進む。
【０３１３】
ステップＳ４１では、入力電源異常判定部６８２は、交流に直流が重畳されているため、周期異常を検出する。このため、処理はステップＳ４２に進む。
ステップＳ４２では、入力電源異常判定部６８２は、ＡＣＯＮ信号をカードして、ヒーター２２がオンされないようにして、ヒーター２２の動作を停止する。
【０３１４】
次に、入力電源異常判定部６８２は、印刷コントロール部６８１に印刷動作を停止させ、不揮発性記憶部６８８に、交流と直流とが重畳したことによる周期異常のエラーコードを記録する。
次に、入力電源異常判定部６８２は、表示部２０に警告を表示させる。
【０３１５】
次に、低圧電源６１０への入力が直流である場合について説明する。この場合には、低圧電源６１０への入力が瞬断した場合も含めて説明する。
まず、ステップＳ４０では、直流が入力されているため、ＡＣゼロクロス点は検出されず、処理はステップＳ４５に進む。
【０３１６】
ステップＳ４５では、入力電源異常判定部６８２は、ヒーター温度コントロール部６８３からのＡＣＯＮ信号を監視し、ヒーター２２がオンしているか否かを判断する。ここでは、ヒーター２２が既にオンにされているものとして説明する。
【０３１７】
このような場合、処理はステップＳ４６に進み、入力電源異常判定部６８２は、８０ｍｓのタイマをスタートさせる。８０ｍｓとしたのは、瞬断１サイクルでは装置電源が落ちずに動作するため、瞬断と直流の入力とを識別する必要があるためである。
【０３１８】
瞬断の場合、ステップＳ４７でＡＣゼロクロス点が検出され、ステップＳ４８で、タイマがクリアされて、処理はステップＳ４０に戻る。
一方、直流が入力されている場合には、ステップＳ４７でＡＣゼロクロス信号が検出されないため、処理はステップＳ４９に進み、入力電源異常判定部６８２は、８０ｍｓのタイマが経過したか否かを判断する。
【０３１９】
８０ｍｓのタイマが経過した場合、処理はステップＳ５０に進み、入力電源異常判定部６８２は、ヒューズカット信号（ＦＣ信号）を出力する。
ＦＣ信号が入力されると、保護動作部６２９は、リレーコイル部６２９ａが動作して、ヒューズＣ６４５が溶断する。
【０３２０】
次に、入力電源異常判定部６８２は、エラー処理として、印刷コントロール部６８１に印刷動作を停止させ、不揮発性記憶部６８８に直流の入力によるエラーコードを記録する。
そして、入力電源異常判定部６８２は、表示部２０に警告を表示させる。
【０３２１】
また、直流が入力され、ステップＳ４５で、まだヒーター２２がオンにされていない場合（Ｓ４５でＮｏ）には、ステップＳ５３において、入力電源異常判定部６８２は、ＡＣＯＮ信号をガードする。これは、直流が入力されると、トライアック１３４をＯＦＦすることができなくなるため、ＡＣＯＮ信号をＯＮさせないためである。
【０３２２】
そして、ステップＳ５４において、入力電源異常判定部６８２は、８０ｍｓのタイマをスタートさせる。
次に、ステップＳ５５で、入力電源異常判定部６８２は、ＡＣゼロクロス点の検出を行う。
【０３２３】
瞬断で一時的にＡＣゼロクロス点が消失したものであれば、処理はステップＳ５６に進み、入力電源異常判定部６８２は、タイマをクリアして、ＡＣＯＮ信号のガードを解除する。そして、処理は、ステップＳ４０に戻る。
【０３２４】
低圧電源６１０に直流が入力されている場合、ステップＳ５５でＡＣゼロクロス点が検出されないため、処理はステップＳ５７に進む。
ステップＳ５７で、タイマが経過すると、処理はステップＳ５８に進み、入力電源異常判定部６８２は、エラー処理として、印刷コントロール部６８１に印刷動作を停止させ、不揮発性記憶部６８８に直流の入力によるエラーコードを記録する。
【０３２５】
次に、入力電源異常判定部６８２は、表示部２０に警告を表示させる。この場合は、トライアック１３４がオンになっていないため、ヒューズＣ６４５が切断されることはない。
【０３２６】
以上のように、入力電源異常判定部６８２は、入力電圧が異常であるか否かを判定し、保護動作部６２９により、入力電源異常判定部６８２により入力電圧が異常であると判定され、トライアック１３４がヒーター２２をオンにし、入力電圧が異常であると判定された状態が予め定められた期間継続した場合に、ヒューズＣ１３８ａが切断されるようになる。
【０３２７】
以上のように、実施の形態６によれば、ＡＣゼロクロス信号を監視して、ＡＣゼロクロス点の入力が無い時間をプログラムタイマで監視することで、ＡＣ瞬断と、直流電圧の入力とを区別することができるため、ＡＣ瞬断によるヒューズカットを防止することができる。
また、ヒューズＣ６４５を着脱可能な定着器１１内に設けることで、直流電圧の入力によりヒューズＣ６４５が切断されても、サービスマンの保守性が向上する。
【０３２８】
実施の形態７．
図１に示されているように、実施の形態７に係る画像形成装置７００は、実施の形態１に係る画像形成装置１００と比較して、低圧電源７１０及びメイン制御部７８０が異なっている。以下、低圧電源７１０及びメイン制御部７８０について主に説明する。
【０３２９】
図３０は、実施の形態７に係る画像形成装置７００における低圧電源７１０及びメイン制御部７８０の概略構成を示すブロック図である。
図３０においては、低圧電源７１０及びメイン制御部７８０の、実施の形態７の特徴に関わる部分を抜粋したものである。
【０３３０】
実施の形態７では、実施の形態６におけるＡＣゼロクロス回路６４４を、直流検出部７３０に置き換えている。このため、メイン制御部７８０における入力電源異常判定部７８２での動作が、実施の形態６の入力電源異常判定部６８２と異なっている。
以下、実施の形態６からの変更点について主に説明する。
【０３３１】
直流検出部７３０のＩＮ１ピンは、ＡＣ入力部１１１と、フィルタＡ１１３とに接続されている。
直流検出部７３０のＩＮ２ピンは、ヒューズＡ１１２と、フィルタＡ１１３とに接続されている。
【０３３２】
直流検出部７３０のＧＮＤピンは、トランス１１８の二次側と、電解コンデンサ１２６の−極と、抵抗１３２と、可変シャントレギュレータ１３１のアノードと、保護動作部６２９のＧＮＤピンと、低圧電源７１０のＧＮＤ出力ピンとに接続される。
【０３３３】
直流検出部７３０の＋５Ｖピンには、図示されていないが、＋２４Ｖ電源からＤＣ−ＤＣコンバータで生成された＋５Ｖが入力される。
直流検出部７３０のｄｔｃＯピンからの出力（ｄｔｃ信号）は、ＤＣ  ｄｔｃコネクタを介して、メイン制御部７８０の入力電源異常判定部７８２に入力される。
【０３３４】
直流検出部７３０のＦＣＯピンからの出力（ＦＣ信号）は、ＦＣコネクタを介して、メイン制御部７８０の入力電源異常判定部７８２に入力される。
また、直流検出部７３０のＦＣＯピンは、保護動作部６２９のＦＣＩピンに接続される。
【０３３５】
直流検出部７３０のＡＣＯＮピンは、ＡＣＯＮコネクタを介して、入力電源異常判定部７８２からＡＣＯＮ信号の入力を受ける。
【０３３６】
図３１は、直流検出部７３０の一例を示す回路図である。
直流検出部７３０は、抵抗７３０ａと、コンデンサ７３０ｂと、フォトカプラ７３０ｃと、抵抗７３０ｄと、抵抗７３０ｅと、トランジスタ７３０ｆと、電解コンデンサ７３０ｇと、ＮＡＮＤ回路７３０ｈと、抵抗７３０ｉと、コンデンサ７３０ｊと、コンデンサ７３０ｋと、タイマＩＣ７３０ｌと、ＮＯＴ回路７３０ｍと、Ｄフリップフロップ７３０ｎとを備える。
タイマＩＣ７３０ｌは、ＮＥ５５５がオリジナルで、各社からセカンドソース品が販売されている。
【０３３７】
抵抗７３０ａは、直流検出部７３０のＩＮ１ピンに接続される。
また、抵抗７３０ａは、コンデンサ７３０ｂに接続される。
コンデンサ７３０ｂは、フォトカプラ７３０ｃに接続される。
【０３３８】
フォトカプラ７３０ｃは、直流検出部７３０のＩＮ２ピンに接続される。
また、フォトカプラ７３０ｃは、直流検出部７３０の＋５Ｖピンと、抵抗７３０ｅと、タイマＩＣ７３０ｌのＶｃｃピンと、Ｄフリップフロップ７３０ｎのＰＲピン及びＣＬＲピンとに接続される。なお、フォトカプラ７３０ｃは、図示されていないが、ＮＡＮＤ回路７３０ｈのＶｃｃピンと、ＮＯＴ回路７３０ｍのＶｃｃピンにも接続される。
また、フォトカプラ７３０ｃは、抵抗７３０ｄに接続される。
【０３３９】
抵抗７３０ｄは、トランジスタ７３０ｆのベースに接続される。
トランジスタ７３０ｆのエミッタは、直流検出部７３０のＧＮＤピンに接続される。
直流検出部７３０のＧＮＤピンには、他に、電解コンデンサ７３０ｇの−極、コンデンサ７３０ｊ、コンデンサ７３０ｋ、及び、タイマＩＣ７３０ｌのＧＮＤピンが接続されている。また、図示されていないが、直流検出部７３０のＧＮＤピンには、ＮＡＮＤ回路７３０ｈのＧＮＤピン、ＮＯＴ回路７３０ｍのＧＮＤピン、及び、Ｄフリップフロップ７３０ｎのＧＮＤピンも接続される。
【０３４０】
トランジスタ７３０ｆのコレクタは、抵抗７３０ｅと、電解コンデンサ７３０ｇの＋極と、Ｄフリップフロップ７３０ｎのＤピンと、直流検出部７３０のｄｔｃＯピンと、ＮＡＮＤ回路７３０ｈの入力側とに接続される。
【０３４１】
ＮＡＮＤ回路７３０ｈの入力側は、ＡＣＯＮピンに接続されている。
また、ＮＡＮＤ回路７３０ｈの出力側は、タイマＩＣ７３０ｌのＴＲＧピンに接続されている。
【０３４２】
タイマＩＣ７３０ｌのＤＩＳピン及びＴＨピンは、抵抗７３０ｉと、コンデンサ７３０ｊとに接続される。この抵抗７３０ｉとコンデンサ７３０ｊでタイマ時間（Ｔ＝ＣＲ×１．１）が設定される。
また、抵抗７３０ｉは、タイマＩＣ７３０ｌのＲピン及びＶｃｃピンに接続される。
【０３４３】
コンデンサ７３０ｋは、タイマＩＣ７３０ｌのＣＯＮＴピンに接続される。
タイマＩＣ７３０ｌのＯＵＴピンは、ＮＯＴ回路７３０ｍの入力側に接続される。
ＮＯＴ回路７３０ｍの出力側は、ＤフリッブフロップのＣＬＫピンに接続される。
Ｄフリップフロップ７３０ｎのＱピンは、直流検出部７３０のＦＣＯピンに接続される。
【０３４４】
図３２（Ａ）及び（Ｂ）は、直流検出部７３０での動作を示すタイムチャートである。
図３２（Ａ）は、直流が検出される場合の直流検出部７３０での動作を示す。
ＡＣＯＮ信号がＯＮ状態で、直流が検出される場合、直流検出信号（ｄｔｃ信号）がＨレベルになり、ＮＡＮＤ回路７３０ｈの出力がＬレベルになることで、タイマＩＣ７３０ｌのタイマトリガとなる（Ｔ０１）。
【０３４５】
タイマＩＣ７３０ｌの出力がＨレベルとなると、ＮＯＴ回路７３０ｍからの出力であるタイマ出力反転信号がＬレベルとなる。
タイマ設定時間（例えば、８０ｍｓ）で、タイマ出力反転信号はＨレベルになる（Ｔ０２）。このとき、直流検出信号（ｄｔｃ信号）は、直流検出状態（Ｈレベル）なので、Ｄフリップフロップ７３０ｎのＣＬＫピンが、ＬレベルからＨレベルになり、Ｄフリップフロップ７３０ｎのＱピンから、ヒューズカット信号（ＦＣ信号）のＨレベルが出力され、この信号は、ＦＣＯピンからＨレベルの信号として出力される。
【０３４６】
図３２（Ｂ）は、交流が瞬断した場合の直流検出部７３０での動作を示す。
ＡＣＯＮ信号がＯＮ状態で、交流の瞬断が検出される場合、直流検出信号（ｄｔｃ信号）がＨレベルになり、ＮＡＮＤ回路７３０ｈの出力がＬレベルになることで、タイマＩＣ７３０ｌのタイマトリガとなる（Ｔ１１）。
交流の瞬断が終わり、交流が入力されると（Ｔ１２）、ｄｔｃ信号がＨレベルからＬレベルになる。
このため、タイマ終了時（Ｔ１３）に、Ｄフリップフロップ７３０ｎのＱピンからは、ヒューズカット信号（ＦＣ信号）のＬレベルが出力され、ＦＣＯピンからＬレベルの信号が出力される。
【０３４７】
図３３は、入力電源異常判定部７８２の動作を示すフローチャートである。
まず、入力電源異常判定部７８２は、直流検出部７３０からの直流検出信号（ｄｔｃ信号）により、直流が入力されたか否かを判断する（Ｓ６０）。直流が入力されていない場合（Ｓ６０でＮｏ）には、処理はステップＳ６１に進み、直流が入力されている場合（Ｓ６０でＹｅｓ）には、処理はステップＳ６２に進む。
【０３４８】
ステップＳ６１では、入力電源異常判定部７８２は、ＡＣＯＮ信号のガードを解除する。そして、処理はステップＳ６０に戻る。
【０３４９】
ステップＳ６２では、入力電源異常判定部７８２は、ヒーター温度コントロール部６８３からのＡＣＯＮ信号に基づいて、ヒーター２２がオン状態になっているか否かを判断する。ヒーター２２がオンになっていない場合（Ｓ６２でＮｏ）には、処理はステップＳ６３に進み、ヒーター２２がオンになっている場合（Ｓ６２でＹｅｓ）には、処理はステップＳ６４に進む。
【０３５０】
ステップＳ６３では、入力電源異常判定部７８２は、ＡＣＯＮ信号がＨレベルとならないようにガードする。これにより、ヒーター温度コントロール部６８３は、ＡＣＯＮ信号をＯＮ（Ｈレベル）にすることができなくなる。そして処理はステップＳ６０に戻る。
【０３５１】
一方、ステップＳ６４では、直流検出部７３０からのヒューズカット信号（ＦＣ信号）のＨレベルが検出されたか否かを判断する。ヒューズカット信号のＨレベルが検出された場合（Ｓ６４でＹｅｓ）には、処理はステップＳ６５に進み、ヒューズカット信号のＬレベルが検出された場合（Ｓ６４）には、処理はステップＳ６０に戻る。
【０３５２】
ステップＳ６５では、入力電源異常判定部７８２は、ヒーター保護部６３８によりヒューズＣ６４５が切断されるため、印刷コントロール部６８１に印刷停止を指示し、不揮発性記憶部６８８にエラーコードを格納する。
【０３５３】
次に、入力電源異常判定部７８２は、表示コントロール部１８４に指示することで、表示部２０に警告を表示させる。例えば、表示部２０は、「電源入力異常を検出しました。印刷動作を停止させています。電源をＯＦＦして、サービスマンを呼んでください。」とのメッセージを表示する。
【０３５４】
以上のように、実施の形態７によれば、直流検出部７３０が交流の瞬断と、直流電圧との区別を行うことができるため、交流の瞬断によるヒューズＣ６４５の切断を防止することができる。
【０３５５】
実施の形態８．
図１に示されているように、実施の形態８に係る画像形成装置８００は、実施の形態１に係る画像形成装置１００と比較して、低圧電源８１０及びメイン制御部７８０が異なっている。以下、低圧電源８１０及びメイン制御部７８０について主に説明する。
【０３５６】
図３０は、実施の形態８に係る画像形成装置８００における低圧電源８１０及びメイン制御部７８０の概略構成を示すブロック図である。
図３０においては、低圧電源８１０及びメイン制御部７８０の、実施の形態８の特徴に関わる部分を抜粋したものである。
【０３５７】
図３０に示されているように、実施の形態８におけるメイン制御部７８０は、実施の形態７におけるメイン制御部７８０と同様である。
また、図３０に示されているように、実施の形態８における低圧電源８１０は、直流検出部８３０を除いて、実施の形態７における低圧電源７１０と同様である。
【０３５８】
図３４は、実施の形態８における直流検出部８３０の一例を示す回路図である。
直流検出部８３０は、抵抗８３０ａと、コンデンサ８３０ｂと、フォトカプラ８３０ｃと、抵抗８３０ｄと、抵抗８３０ｅと、トランジスタ８３０ｆと、電解コンデンサ８３０ｇと、抵抗８３０ｈと、トランジスタ８３０ｉと、電解コンデンサ８３０ｊと、抵抗８３０ｋとを備える。
【０３５９】
抵抗８３０ａは、直流検出部８３０のＩＮ１ピンに接続される。
また、抵抗８３０ａは、コンデンサ８３０ｂに接続される。
コンデンサ８３０ｂは、フォトカプラ８３０ｃに接続される。
【０３６０】
フォトカプラ８３０ｃは、直流検出部８３０のＩＮ２ピンに接続される。
また、フォトカプラ８３０ｃは、直流検出部８３０の＋５Ｖピンと、抵抗８３０ｅと、抵抗８３０ｋとに接続される。
さらに、フォトカプラ８３０ｃは、抵抗８３０ｄと、抵抗８３０ｈとに接続される。
【０３６１】
抵抗８３０ｄは、トランジスタ８３０ｆのベースに接続される。
抵抗８３０ｈは、トランジスタ８３０ｉのベースに接続される。
【０３６２】
トランジスタ８３０ｆ及びトランジスタ８３０ｉのエミッタは、電解コンデンサ８３０ｇ及び電解コンデンサ８３０ｊの−極と、直流検出部８３０のＧＮＤピンとに接続される。
また、トランジスタ８３０ｆのコレクタは、抵抗８３０ｅと、電解コンデンサ８３０ｇの＋極と、直流検出部８３０のｄｔｃＯピンとに接続される。
【０３６３】
トランジスタ８３０ｉのコレクタは、抵抗８３０ｋと、電解コンデンサ８３０ｊの＋極と、直流検出部８３０のＦＣＯピンとに接続される。
【０３６４】
図３５は、直流検出部８３０の動作波形を説明するための概略図である。
符号５０は、フォトカプラ８３０ｃの発光波形である。
符号５１は、フォトカプラ８３０ｃの出力波形である。
符号５２は、トランジスタ８３０ｆのコレクタ出力（直流検出信号：ｄｔｃ信号）である。符号５１で示されているフォトカプラ８３０ｃの出力がオフの際のバタツキを抑えるために、トランジスタ８３０ｆには電解コンデンサ８３０ｇが接続されている。
符号５３は、ヒューズカット信号（ＦＣ信号）の波形である。
【０３６５】
時刻Ｔ１以降において、直流が入力される場合、直流検出部８３０にはコンデンサ８３０ｂが設けられているため、直流成分がカットされて、符号５０に示されているように、フォトカプラ８３０ｃは発光しない。このため、符号５１に示されているように、フォトカプラ８３０ｃからの出力は、Ｌレベルになる。
【０３６６】
この時、符号５２に示されているように、直流検出信号（ｄｔｃ信号）はすぐに立ち上がり、直流が検出されたことを示す。
一方、符号５３で示されているヒューズカット信号（ＦＣ信号）は、抵抗８３０ｋと、電解コンデンサ８３０ｊとの時定数（τ＝Ｒ×Ｃ）により、８０ｍｓに調整された値での立ち上がりとなる。
【０３６７】
以上のように、実施の形態８によれば、直流検出部８３０に、ＣＲ時定数による遅延回路を設けることで、ＡＣ瞬断と直流電圧の入力との区別を行うことができる。このため、交流の瞬断によるヒューズＣ６４５の切断を防止することができる。
【０３６８】
また、実施の形態６によれば、定着器１１のヒーター２２にハロゲンランプが使用されている場合には、フリッカ対策等でＡＣゼロクロス信号による位相制御で、ＡＣゼロクロス回路を使用しているため、ＡＣゼロクロス信号を共有することができる。
また、ヒーター２２が面状ヒーター等におけるクイック定着が用いられている場合には、フリッカ制御等の必要が無いため、ＡＣゼロクロス回路では無く、実施の形態７又は８における直流検出部７３０、８３０を用いることができる。
【０３６９】
以上に記載された実施の形態６〜８では、ヒューズＣ６４５及びヒーター保護部６３８は、分岐点ＢＰよりもヒーター２２側にあればよく、トライアック１３４との位置関係については、図２３又は図３０に示されている位置関係に限定されるものではない。分岐点ＢＰよりもヒーター２２側にあれば、ヒューズＣ６４５、ヒーター保護部６３８及びトライアック１３４の配置は、任意に選択することができる。
【０３７０】
以上に記載された画像形成装置１００〜８００は、プリンタ、ファクシミリ装置又はマルチファンクションプリンタ等に適用することができる。
【符号の説明】
【０３７１】
１００，２００，３００，４００，５００，６００，７００，８００  画像形成装置、  １１０，２１０，３１０，４１０，５１０，６１０，７１０，８１０  低圧電源、  １２９，２２９，３２９，４２９，５２９，６２９  保護動作部、  １３０，２３０，５３０，７３０，８３０  直流検出部、  １３４  トライアック、  １３８，６３８  ヒーター保護部、  １３８ａ  ヒューズＣ、  ２４１  ヒーター動作部、  ４４２  電圧検出部、  ６４４  ＡＣゼロクロス回路、  ６４５  ヒューズＣ、  １８０，２８０，３８０，４８０，５８０，６８０，７８０  メイン制御部、  １８１，６８１  印刷コントロール部、  １８２，５８２  入力電源異常判定部、  １８３，３８３，６８３  ヒーター温度コントロール部、  １８４  表示コントロール部、  ２８６  ヒーター温度検出部、  ３８７  温度異常検出部、  ６８８  不揮発性記憶部、  ２０  表示部、  ２２  ヒーター。
【図１】
2020197559.tif 000003
【図２】
2020197559.tif 000004
【図３】
2020197559.tif 000005
【図４】
2020197559.tif 000006
【図５】
2020197559.tif 000007
【図６】
2020197559.tif 000008
【図７】
2020197559.tif 000009
【図８】
2020197559.tif 000010
【図９】
2020197559.tif 000011
【図１０】
2020197559.tif 000012
【図１１】
2020197559.tif 000013
【図１２】
2020197559.tif 000014
【図１３】
2020197559.tif 000015
【図１４】
2020197559.tif 000016
【図１５】
2020197559.tif 000017
【図１６】
2020197559.tif 000018
【図１７】
2020197559.tif 000019
【図１８】
2020197559.tif 000020
【図１９】
2020197559.tif 000021
【図２０】
2020197559.tif 000022
【図２１】
2020197559.tif 000023
【図２２】
2020197559.tif 000024
【図２３】
2020197559.tif 000025
【図２４】
2020197559.tif 000026
【図２５】
2020197559.tif 000027
【図２６】
2020197559.tif 000028
【図２７】
2020197559.tif 000029
【図２８】
2020197559.tif 000030
【図２９】
2020197559.tif 000031
【図３０】
2020197559.tif 000032
【図３１】
2020197559.tif 000033
【図３２】
2020197559.tif 000034
【図３３】
2020197559.tif 000035
【図３４】
2020197559.tif 000036
【図３５】
2020197559.tif 000037